(57)【要約】【課題】遠心ファンの回転時にモータの回転シャフトに加わる軸方向の力を低減すること。【解決手段】電動送風機１は、回転シャフト１３を有するモータ１０と、回転シャフト１３の第１端側に固定された第１の遠心ファン３１と、回転シャフト１３の第１端側の反対側の第２端側に固定された第２の遠心ファン３２と、モータ１０、第１の遠心ファン３１、及び第２の遠心ファン３２を囲うケーシング２０と、を有する。第２の遠心ファン３２は、気体の吸引側が第１の遠心ファン３１と反対方向に配置され、第１の遠心ファン３１及び第２の遠心ファン３２によって発生する気流は、ケーシング２０内において固定子１１の周囲を通過する。【選択図】図７
2020073802.tif 000002
【特許請求の範囲】
【請求項１】
固定子と、回転子コアと、前記回転子コアに固定された回転シャフトとを有するモータと、
前記回転シャフトの第１端側に固定された第１の遠心ファンと、
前記回転シャフトの前記第１端側の反対側の第２端側に固定された第２の遠心ファンと、
前記固定子、前記回転子コア、前記回転シャフト、前記第１の遠心ファン、及び前記第２の遠心ファンを囲うケーシングと、
を有し、
前記ケーシングは、
前記第１端側に設けられ、前記第１の遠心ファンによって発生した気流を通過させる第１の開口部と、
前記第２端側に設けられ、前記第２の遠心ファンによって発生した気流を通過させる第２の開口部と、
前記第１の遠心ファンと前記第２の遠心ファンとの間に設けられた第３の開口部と、
を有し、
前記第２の遠心ファンは、気体の吸引側が前記第１の遠心ファンと反対方向に配置され、
前記第１の遠心ファン及び前記第２の遠心ファンによって発生する気流は、前記ケーシング内において前記固定子の周囲を通過する
電動送風機。
【請求項２】
前記ケーシングは、
前記第１の開口部が設けられ、前記第１の遠心ファンにより発生した遠心方向の気流を前記回転シャフトの軸方向に向ける第１のファンカバーと、
前記第２の開口部が設けられ、前記第２の遠心ファンにより発生した遠心方向の気流を前記軸方向に向ける第２のファンカバーと、
を有する
請求項１に記載の電動送風機。
【請求項３】
前記第１端側において前記回転シャフトを回転可能に支持する第１のベアリングと、
前記ケーシング内に固定され、前記第１のベアリングを支持する第１の支持部材と、
前記第２端側において前記回転シャフトを回転可能に支持する第２のベアリングと、
前記ケーシング内に固定され、前記第２のベアリングを支持する第２の支持部材と、
をさらに有する
請求項１又は２に記載の電動送風機。
【請求項４】
前記第１の支持部材は、第４の開口部を有し、
前記第２の支持部材は、第５の開口部を有する
請求項３に記載の電動送風機。
【請求項５】
前記ケーシング内に固定され、前記第１の遠心ファンにより発生した気流の方向を、前記第１の遠心ファンと前記第１の支持部材との間において変更する第１の仕切り部をさらに有する
請求項３又は４に記載の電動送風機。
【請求項６】
前記第１の仕切り部は、前記第１の遠心ファンにより発生した気流を通過させる第１の連通口を有する
請求項５に記載の電動送風機。
【請求項７】
前記ケーシング内に固定され、前記第２の遠心ファンにより発生した気流の方向を、前記第２の遠心ファンと前記第２の支持部材との間において変更する第２の仕切り部をさらに有する
請求項５又は６に記載の電動送風機。
【請求項８】
前記第２の仕切り部は、前記第２の遠心ファンにより発生した気流を通過させる第２の連通口を有する
請求項７に記載の電動送風機。
【請求項９】
前記第１端側において前記回転シャフトを回転可能に支持する第１のベアリングと、
前記ケーシング内に固定され、前記第１のベアリングを支持する第１の支持部材と、
前記第２端側において前記回転シャフトを回転可能に支持する第２のベアリングと、
前記ケーシング内に固定され、前記第２のベアリングを支持する第２の支持部材と、
前記ケーシング内に固定され、前記第１の遠心ファンにより発生した気流の方向を、前記第１の遠心ファンと前記第１の支持部材との間において変更する第１の仕切り部と、
をさらに有し、
前記第１の仕切り部は、前記第１のファンカバーと前記第３の開口部とを結ぶ第１の流路を有する第１のケーシングである
請求項２に記載の電動送風機。
【請求項１０】
前記ケーシング内に固定され、前記第２の遠心ファンにより発生した気流の方向を、前記第２の遠心ファンと前記第２の支持部材との間において変更する第２の仕切り部をさらに有し、
前記第２の仕切り部は、前記第２のファンカバーと前記第３の開口部とを結ぶ第２の流路を有する第２のケーシングである
請求項９に記載の電動送風機。
【請求項１１】
前記第１の遠心ファンと前記第１の支持部材との間の距離と、前記第２の遠心ファンと前記第２の支持部材との間の距離とは、互いに異なる
請求項３から１０のいずれか１項に記載の電動送風機。
【請求項１２】
前記回転子コアの前記回転シャフトの軸方向の中心位置は、前記固定子の前記軸方向の中心位置からずれている
請求項１から１１のいずれか１項に記載の電動送風機。
【請求項１３】
前記第１の遠心ファンと前記第１のファンカバーとの間の間隔と、前記第２の遠心ファンと前記第２のファンカバーとの間の間隔とは、互いに異なる
請求項２に記載の電動送風機。
【請求項１４】
前記第１の遠心ファンの形状と前記第２の遠心ファンの形状とは、互いに異なる
請求項１から１３のいずれか１項に記載の電動送風機。
【請求項１５】
請求項１から１４のいずれか１項に記載の電動送風機を備えた電気機器。
【発明の詳細な説明】
【技術分野】
【０００１】
本発明は、電動送風機及びそれを備えた電気機器に関する。
【背景技術】
【０００２】
電動送風機は、主に、モータとモータの回転シャフトに取り付けられたファンとで構成することができる。このような電動送風機は、ファンの回転時に、ファン、モータ、及び回転シャフトを回転可能に支持するベアリングから、振動による騒音が発生する。この騒音を低減する１つの方法として、回転時のベアリングの内輪と外輪との隙間（クリアランス）を小さくする方法がある。
【０００３】
例えば、特許文献１は、シャフト、ベアリング組立体、及びインペラを有するロータ組立体を開示している。このベアリング組立体は、第１のベアリング、第２のベアリング、第１のベアリング及び第２のベアリングの各々に予荷重を付与するスプリング、及び、これらを取り囲むスリーブを備え、上記の予荷重により、ベアリングの内輪と外輪とで発生するクリアランスを小さくしている。これにより、このロータ組立体では、シャフトの回転時のベアリングの騒音を抑えている。
【先行技術文献】
【特許文献】
【０００４】
【特許文献１】特開２０１３−０４４４３５号公報
【発明の概要】
【発明が解決しようとする課題】
【０００５】
しかしながら、特許文献１に記載のロータ組立体では、ベアリングには、スプリングの予荷重に加え、インペラが回転することによる空力の静圧がスラスト荷重として加わるため、ロータ組立体における回転軸方向のバランスがとれなくなる。そして、このロータ組立体では、そのスラスト荷重がベアリングにかかるため、ベアリングの摩耗による寿命低下が懸念される。
【０００６】
一方で、電動送風機を小型化するためには、高出力化が必要となる。電動送風機に備えるファンの仕事量は静圧と風量で決まるが、電動送風機の小型化のためにファンを小型化すると風量が小さくなる。よって、電動送風機を小型化するためには、静圧を高くする必要があり、そのために、ファンを軸流ファンではなく空力効率の高い遠心ファンにすることが望まれている。しかしながら、電動送風機に遠心ファンを備えることで静圧の高出力化を図ると、ファンに圧力差によって負圧荷重がかかる。そして、その力は回転シャフトを介し、回転シャフトを回転可能に支持するベアリングが受けることになるので、ベアリングの寿命に影響を及ぼす。
【０００７】
このように、電動送風機を小型化するために遠心ファンを採用すると、回転シャフトにかかる軸方向の力（スラスト力）が強くなり、電動送風機におけるモータの軸方向の力のバランスがとれなくなり、例えば、その回転シャフトを回転可能に支持するベアリングの摩耗が進み、寿命が短くなる。
【０００８】
本発明は、上述のような課題を解消するためになされたもので、その目的は、遠心ファンの回転時にモータの回転シャフトに加わる軸方向の力を低減することが可能な電動送風機、及びその電動送風機を備えた電気機器を提供することにある。
【課題を解決するための手段】
【０００９】
本発明の一態様に係る電動送風機は、固定子と、回転子コアと、前記回転子コアに固定された回転シャフトとを有するモータと、前記回転シャフトの第１端側に固定された第１の遠心ファンと、前記回転シャフトの前記第１端側の反対側の第２端側に固定された第２の遠心ファンと、前記固定子、前記回転子コア、前記回転シャフト、前記第１の遠心ファン、及び前記第２の遠心ファンを囲うケーシングと、を有し、前記ケーシングは、前記第１端側に設けられ、前記第１の遠心ファンによって発生した気流を通過させる第１の開口部と、前記第２端側に設けられ、前記第２の遠心ファンによって発生した気流を通過させる第２の開口部と、前記第１の遠心ファンと前記第２の遠心ファンとの間に設けられた第３の開口部と、を有し、前記第２の遠心ファンは、気体の吸引側が前記第１の遠心ファンと反対方向に配置され、前記第１の遠心ファン及び前記第２の遠心ファンによって発生する気流は、前記ケーシング内において前記固定子の周囲を通過するものである。
【００１０】
本発明の他の態様に係る電気機器は、前記電動送風機を備える。
【発明の効果】
【００１１】
本発明によれば、電動送風機において、遠心ファンの回転時にモータの回転シャフトに加わる軸方向の力を低減することができる。
【図面の簡単な説明】
【００１２】
【図１】本発明の実施の形態１に係る電動送風機の一構成例の断面構造を示す図である。
【図２】図１に示される電動送風機における第１の遠心ファンの一構成例を示す斜視図である。
【図３】図１に示される電動送風機における気流を概略的に示す図である。
【図４】図１に示される電動送風機における第１のベアリング及び第１の支持部材の一例を示す図である。
【図５】図４に示される第１の支持部材を示す上面図である。
【図６】図１に示される電動送風機における第１の支持部材の他の構成例を示す断面図である。
【図７】図１に示される電動送風機における回転シャフトに与えられる軸方向の力の向きを示す図である。
【図８】実施の形態１に係る電動送風機の他の構成例の断面構造を示す図である。
【図９】実施の形態１に係る電動送風機の他の構成例の断面構造を示す図である。
【図１０】実施の形態１に係る電動送風機の他の構成例の断面構造を示す図である。
【図１１】実施の形態２に係る電動送風機の一構成例の断面構造を示す図である。
【図１２】図１１に示される電動送風機における気流を概略的に示す図である。
【図１３】実施の形態２に係る電動送風機の他の構成例の断面構造を示す図である。
【図１４】図１３に示される電動送風機における気流を概略的に示す図である。
【図１５】実施の形態２に係る電動送風機の他の構成例の断面構造を示す図である。
【図１６】実施の形態２に係る電動送風機の他の構成例の断面構造を示す図である。
【図１７】実施の形態３に係る電動送風機の一構成例の断面構造を示す図である。
【図１８】図１７に示される電動送風機における気流を概略的に示す図である。
【図１９】図１７に示される電動送風機における内部ケーシング内の気流の一例を概略的に示す図である。
【図２０】実施の形態３に係る電動送風機の他の構成例の断面構造を示す図である。
【図２１】実施の形態３に係る電動送風機の他の構成例の断面構造を示す図である。
【図２２】実施の形態４に係る電動送風機の一構成例の断面構造を示す図である。
【図２３】図２２に示される電動送風機における気流を概略的に示す図である。
【図２４】実施の形態４に係る電動送風機の他の構成例の断面構造を示す図である。
【図２５】図２４に示される電動送風機における気流を概略的に示す図である。
【図２６】図２４に示される電動送風機における第１の遠心ファン及び第２の遠心ファンの回転子コアからの距離を示す図である。
【図２７】実施の形態４に係る電動送風機の他の構成例の断面構造を示す図である。
【図２８】実施の形態４に係る電動送風機の他の構成例の断面構造を示す図である。
【図２９】実施の形態５に係る電動送風機の一構成例の断面構造を示す図である。
【図３０】実施の形態６に係る電動送風機の一構成例の断面構造を示す図である。
【図３１】実施の形態６に係る電動送風機の他の構成例の断面構造を示す図である。
【図３２】実施の形態６に係る電動送風機の他の構成例の断面構造を示す図である。
【図３３】実施の形態７に係る電動送風機の一構成例の断面構造を示す図である。
【図３４】実施の形態８に係る電動送風機の一構成例の断面構造を示す図である。
【図３５】実施の形態９に係る電気機器としての掃除機の一例を示す斜視図である。
【図３６】実施の形態９に係る電気機器としてのジェットタオルの一例を示す斜視図である。
【発明を実施するための形態】
【００１３】
以下に、本発明の実施の形態に係る電動送風機及び電気機器について、図を参照しながら説明する。
【００１４】
《１》実施の形態１
《１−１》構成
本発明の実施の形態１に係る電動送風機について、図１から図１０を参照しながら説明する。図１は、実施の形態１に係る電動送風機の一構成例の断面構造を示す図、図２は、図１に示される電動送風機１における第１の遠心ファンの一構成例を示す斜視図、図３は、図１に示される電動送風機１における気流を概略的に示す図である。なお、図３において、破線矢印及び実線矢印で気流の様子を示しているが、図示した矢印は気流の一例を概略的に示したものに過ぎず、後述する、同様の破線矢印及び実線矢印が描かれた図面についても同様のことが言える。
【００１５】
図１に示されるように、実施の形態１に係る電動送風機１は、回転シャフト１３を有するモータ１０と、回転シャフト１３の第１端側に固定された第１の遠心ファン３１と、回転シャフト１３の上記第１端側の反対側の第２端側に固定された第２の遠心ファン３２と、ケーシング（筐体）２０と、を有する。
【００１６】
モータ１０は、例えば、固定子１１と、固定子１１の内側に備えられ、回転シャフト１３及び回転シャフト１３に固定された回転子コア１２を有する回転子と、を有することができる。なお、この回転子は、例えば、回転子コア１２の中心部分に設けられたシャフト孔に、回転シャフト１３が固定されて構成される。モータ１０は、固定子１１に対して回転シャフト１３を回転軸として回転子が回転するようになっている。その他、図示しないが、電動送風機１は、モータ１０を駆動させるために、駆動回路、電源、及び電気配線などを備えている。
【００１７】
図１に示されるように、第１の遠心ファン３１は、回転シャフト１３の第１端（図１における右端）に固定され、第２の遠心ファン３２は、回転シャフト１３の第２端（図１における左端）に固定されることができる。但し、回転シャフト１３の右端を第１の遠心ファン３１から突出させた状態で第１の遠心ファン３１が固定されてもよいし、回転シャフト１３の左端を第２の遠心ファン３２から突出させた状態で第２の遠心ファン３２が固定されてもよい。以下、第１の遠心ファン３１及び第２の遠心ファン３２について区別せずに説明を行う際には、第１の遠心ファン３１及び第２の遠心ファン３２を単に遠心ファン３１，３２と称する。
【００１８】
遠心ファン３１，３２は、いずれも、回転時に回転軸に平行な軸方向（つまり、回転の軸方向）に直角な方向の成分（遠心方向成分）を有する気流が発生できる形状を有するファンであり、輻流ファン、多翼ファン、ターボファンなどと称することもできる。具体的には、第１の遠心ファン３１は、例えば、図２に示されるように、回転シャフト１３を取り付ける基部（土台）３３ａに複数の羽根３３ｂが設けられた形状を有することができ、それらの羽根３３ｂの回転時に少なくとも遠心方向成分を有する気流を発生する。なお、羽根３３ｂは、遠心翼と称されることもある。また、以下では、回転の軸方向を、単に「軸方向」とも称す。
【００１９】
第２の遠心ファン３２も、第１の遠心ファン３１と同様の形状を有することができるが、いずれも回転シャフト１３を共通の回転軸として回転するため、例えば、第１の遠心ファン３１が図２に示される形状を有するのであれば、第２の遠心ファン３２は図２の紙面上において軸対称に左右反転させたような形状を有することが、同程度の気流を発生できる点から、好ましいと言える。但し、遠心ファン３１，３２は、前向き羽根を有するファンであっても後向き羽根を有するファンであってもよく、特に、回転シャフト１３への取付前の状態で見た時に同じ向きの羽根を有すること、例えば全く同じ形状とすることもできる。
【００２０】
また、遠心ファン３１，３２の形状は、主に遠心ファン３１，３２が有する羽根の形状及び数などで規定されることとなるが、上述した通り、回転時に遠心方向成分を有する気流が発生できる形状であればよい。よって、遠心ファン３１，３２は、遠心方向成分と軸方向に平行な成分（軸方向成分）とを有する気流を発生する斜流ファンとすることもできる。つまり、ここで説明している遠心ファンの概念には、斜流ファンも含まれる。なお、遠心ファン３１，３２は、翼となる複数の羽根が回転運動するため、動翼の一種であると言える。
【００２１】
ケーシング２０は、モータ１０、第１の遠心ファン３１、及び第２の遠心ファン３２を囲うものであり、図１に示されるように、例えば、少なくとも回転シャフト１３の回転軸の周りにおいて、モータ１０、第１の遠心ファン３１、及び第２の遠心ファン３２を囲う部材である。固定子１１は、例えば、ケーシング２０の内壁に固定しておくことができる。
【００２２】
また、ケーシング２０は、第１の遠心ファン３１と第２の遠心ファン３２との間に設けられ、気流の通過口となる少なくとも１つの開口部（便宜上、第３の開口部と称する）を有する。この第３の開口部は、ケーシング２０に設けられた開口部であり、ケーシング開口部と称することができる。第３の開口部は、例えば、図１に示されるように２つの開口部２７，２８とすることができる。
【００２３】
ここで、気流の通過口とは、気体の出口及び入口のいずれか一方を指し、実施の形態１では気体の出口を指す。つまり、電動送風機１における第３の開口部２７，２８は、図１及び図３に示されるように気体の出口（気流の下流側に位置する開口部）となる。また、気体は、空気であることが一般的であるが、これに限らず特定の気体であってもよい。なお、上述のように、第３の開口部２７，２８は、図１及び図３に示される後述の第１の開口部２１ａ及び第２の開口部２２ａとは別の開口部を指す。
【００２４】
第３の開口部２７は、回転子コア１２と第１の遠心ファン３１との間の軸方向の位置に形成することができ、特に、後述する第１の遠心ファン３１と第１の支持部材２５（又は第１のベアリング２３）との間の軸方向の位置に形成することができる。第３の開口部２８は、回転子コア１２と第２の遠心ファン３２との間の軸方向の位置に形成することができ、特に、後述する第２の遠心ファン３２と第２の支持部材２６（又は第２のベアリング２４）との間の軸方向の位置に形成することができる。
【００２５】
また、ケーシング２０は、図１に示されるように、第１の開口部２１ａ及び第２の開口部２２ａを有することができる。第１の開口部２１ａは、ケーシング２０の第１端側に設けられた開口部であり、第２の開口部２２ａは、ケーシング２０の第２端側に設けられた開口部である。第１の開口部２１ａは、第１の遠心ファン３１により発生した気流を通過させることができ、第２の開口部２２ａは、第２の遠心ファン３２により発生した気流を通過させることができる。以下、第１の開口部２１ａ及び第２の開口部２２ａについて区別せずに説明を行う際には、これらを単に開口部２１ａ，２２ａと称する。開口部２１ａ，２２ａは、第３の開口部２７，２８と同様にケーシング開口部と称することができるが、カバー開口部と称することもできる。
【００２６】
また、ケーシング２０は、図１に示されるように、第１の開口部２１ａが設けられ、第１の遠心ファン３１により発生した遠心方向の気流を軸方向に向ける第１のファンカバー２１を有することができる。第１のファンカバー２１は、第１の遠心ファン３１の一部（少なくとも第１の開口部２１ａを除く部分）を覆うカバーとなる。さらに、ケーシング２０は、図１に示されるように、第２の開口部２２ａが設けられ、前記第２の遠心ファンにより発生した遠心方向の気流を軸方向に向ける第２のファンカバー２２を有することができる。第２のファンカバー２２は、第２の遠心ファン３２の一部（少なくとも第２の開口部２２ａを除く部分）を覆うカバーとなる。但し、ケーシング２０は、第１のファンカバー２１及び第２のファンカバー２２のような斜めに配置されたカバーを有さない構造であっても、第１の開口部２１ａ及び第２の開口部２２ａを有していればよい。以下、第１のファンカバー２１及び第２のファンカバー２２について区別せずに説明を行う際には、これらを単にファンカバー２１，２２と称する。
【００２７】
図３に示されるように、第１のファンカバー２１は、気体を吸引する口として第１の開口部２１ａを有するとともに、第１の遠心ファン３１から遠心方向に発生した気流（吐出された気体）が衝突する傾斜面（第１傾斜面）を有する。このような構成及び第１の遠心ファン３１との位置関係により、第１のファンカバー２１は、第１の遠心ファン３１の回転によって第１の開口部２１ａから吸引された気体を遠心方向に流し、上記第１傾斜面にてその気流の向き（風向）を変更する風向変更部材（風向調整変更板）として機能する。図３において破線矢印で示される気流のように、この例では、上記第１傾斜面により気流を回転子コア１２側へ向かう方向に変更させること、つまり軸方向成分を有するように変更させることができる。
【００２８】
また、図１に示されるように、第１のファンカバー２１は、回転シャフト１３の回転軸を中心とし回転子コア１２からの距離が離れるに連れて直径（内径及び外径）を小さくした円筒の形状を有することができる。但し、第１のファンカバー２１の形状はこれに限ったものではない。なお、第１のファンカバー２１は、少なくとも第１の開口部２１ａにおいては、第１の遠心ファン３１を覆っていない。また、第１のファンカバー２１は、例えば、図１に示されるように、ケーシング２０の本体の内周壁に固定しておくことができる。
【００２９】
図３に示されるように、第２のファンカバー２２は、第１のファンカバー２１と同様に、気体を吸引する口として第２の開口部２２ａを有するとともに、第２の遠心ファン３２から遠心方向に発生した気流が衝突する傾斜面（第２傾斜面）を有し、風向変更部材として機能する。図３において実線矢印で示される気流のように、この例では、上記第２傾斜面により気流を回転子コア１２側へ向かうように変更させることができる。図１に示されるように、第２のファンカバー２２も、第１のファンカバー２１と同様に、回転シャフト１３の回転軸を中心とし回転子コア１２からの距離が離れるに連れて直径を小さくした円筒の形状を有することができるが、これに限ったものではない。なお、第２のファンカバー２２は、少なくとも第２の開口部２２ａにおいては第２の遠心ファン３２を覆っていない。また、第２のファンカバー２２も、第１のファンカバー２１と同様に、例えばケーシング２０の本体の内周壁に固定しておくことができる。
【００３０】
なお、第１の遠心ファン３１が斜流ファンである場合、回転時に斜流ファン単独で軸方向成分を含む気流を発生することができるが、この場合にも、ケーシング２０は、第１のファンカバー２１を備えることができる。第２の遠心ファン３２が斜流ファンである場合についても第１の遠心ファン３１と同様に説明できる。
【００３１】
また、電動送風機１は、図１に示されるように、第１のベアリング２３、第２のベアリング２４、第１の支持部材（第１のベアリング支持部材）２５、及び第２の支持部材（第２のベアリング支持部材）２６を有することができる。以下、第１のベアリング２３及び第２のベアリング２４について区別せずに説明を行う際には、これらを単にベアリング２３，２４と称する。同様に、第１の支持部材２５及び第２の支持部材２６について区別せずに説明を行う際には、これらを単に支持部材２５，２６と称する。
【００３２】
第１のベアリング２３は、第１端側において回転シャフト１３を回転可能に支持するベアリングであり、図１に示されるように、第１の遠心ファン３１と回転子コア１２との間の位置に配置されることができる。また、第１の支持部材２５は、ケーシング２０内に固定され、第１のベアリング２３を支持する。第２のベアリング２４は、第２端側において回転シャフト１３を回転可能に支持するベアリングであり、図１に示されるように、第２の遠心ファン３２と回転子コア１２との間の位置に配置されることができる。また、第２の支持部材２６は、ケーシング２０内に固定され、第２のベアリング２４を支持する。
【００３３】
ベアリング２３，２４及び支持部材２５，２６について、図４から図６を併せて参照しながら説明する。図４は、第１のベアリング２３及び第１の支持部材２５の一例を示す図、図５は、図４に示される第１の支持部材２５を示す上面図で図４のＡ−Ａ線から見た上面図、図６は、第１の支持部材２５の他の構成例を示す断面図である。
【００３４】
図１及び図４に示されるように、第１の支持部材２５は、ケーシング２０の内壁に固定することで、取り付けることができる。例えば、第１の支持部材２５は、突起部を有し、ケーシング２０に形成した孔にその突起部を貫通させた状態で、ケーシング２０に固定することができる。第２の支持部材２６のケーシング２０への取り付け方法も第１の支持部材２５の取り付け方法と同様である。
【００３５】
図４に示されるように、第１のベアリング２３は、内輪２３ａ、外輪２３ｂ、及びそれらの間に備えられた複数の転動体２３ｃを有することができる。ここで、図４に示されるように、第１のベアリング２３の内輪２３ａの内周側は、回転シャフト１３の中央部分に固定された回転子コア１２と第１端側（図１における右側）に固定された第１の遠心ファン３１との間において、回転シャフト１３に固定されている。一方、図４に示されるように、第１のベアリング２３の外輪２３ｂの外周側は、第１の支持部材２５に固定されている。
【００３６】
なお、図４に示される例では、第１のベアリング２３として、内輪２３ａ、外輪２３ｂ、及び転動体２３ｃを有するベアリングと、内輪２３ｄ、外輪２３ｅ、及び転動体２３ｆを有するベアリングの、合計２つのベアリングを備えることで、回転シャフト１３の傾きを防止しながら保持しているが、ベアリングの個数はこれに限ったものではない。
【００３７】
図示しないが、第２のベアリング２４は、第１のベアリング２３と同様に、内輪、外輪、及びそれらの間に備えられた複数の転動体を有することができる。また、第２のベアリング２４の回転シャフト１３及び第２の支持部材２６への固定方法についても、第１のベアリング２３の回転シャフト１３及び第１の支持部材２５への固定方法と同様である。つまり、第２のベアリング２４の内輪の内周側は、回転子コア１２と第２の遠心ファン３２との間において、回転シャフト１３に固定されており、第２のベアリング２４の外輪の外周側は、第２の支持部材２６に固定されている。
【００３８】
このように、第１のベアリング２３を回転シャフト１３及び第１の支持部材２５に取り付け、第２のベアリング２４を回転シャフト１３及び第２の支持部材２６に取り付けることで、回転シャフト１３及びそれに固定された回転子コア１２は、第１の支持部材２５及び第２の支持部材２６及びそれらが固定されたケーシング２０に対して回転可能に、つまりケーシング２０に固定された固定子１１に対して回転可能になる。
【００３９】
また、第１の支持部材２５は、図５に示されるように、第４の開口部２５ｄを有することができる。第４の開口部２５ｄは、ケーシング２０の内部の開口部であり、内部開口部と称することもできる。第４の開口部２５ｄは、第１の支持部材２５の回転子コア１２側の空間と第１の支持部材２５の第１の遠心ファン３１側の空間とを連通させる連通口とすることができる。図５に示される第１の支持部材２５は、ケーシング２０の内壁に固定するための環状部２５ａと、第１のベアリング２３の外輪２３ｂ，２３ｅに固定するための中心部２５ｂと、環状部２５ａと中心部２５ｂとを接続する複数本の枝部２５ｃと、を有し、隣り合う枝部２５ｃ同士の間が第４の開口部２５ｄとなっている。この例では、枝部２５ｃが４本設けられており、第４の開口部２５ｄの数が４つとなっている。また、第１の支持部材２５に第４の開口部として設けられる連通口の数は、複数に限らず、１つであってもよい。
【００４０】
また、第１の支持部材２５は、第４の開口部を有する構成を採用した場合であっても、上述したような形状に限ったものではなく、例えば環状部２５ａを取り除き、枝部２５ｃの先端が直接ケーシング２０の内壁に固定されるような形状であってもよい。より具体的には、第１の支持部材２５は、図６に示されるように、図４及び図５に示される第１の支持部材２５において、枝部２５ｃをそのままに環状部２５ａを取り除き、且つ中心部２５ｂを枝部２５ｃと同様の枝部を有するように構成した取付部２５ｂａを設けたような形状を有することができる。図６に示される例では、取付部２５ｂａの枝部の先端とそれより軸方向の位置がずれた枝部２５ｃの先端とを、ケーシング２０の内壁に固定することができるため、第１の支持部材２５をケーシング２０に対して強固に固定することができる。
【００４１】
また、図示しないが、第２の支持部材２６は、第１の支持部材２５と同様に、内部開口部（第５の開口部と称す）を有することができ、第５の開口部は、例えば、第２の支持部材２６の回転子コア１２側の空間と第２の支持部材２６の第２の遠心ファン３２側の空間とを連通させる連通口とすることができる。また、第２の支持部材２６に第５の開口部として設けられる連通口の数も、複数に限らず、１つであってもよい。以下、第４の開口部と第５の開口部とについて、区別せずに説明を行う際には、これらを単に連通口（支持部材２５，２６に設けられた連通口）と称する。
【００４２】
第１の支持部材２５に第４の開口部を設け且つ第２の支持部材２６に第５の開口部を設けておくことで、モータ１０の放熱を促進（補助）することができ、また、第１のベアリング２３の放熱を第１の遠心ファン３１側からだけでなくモータ１０側からも促進（補助）することができ、第２のベアリング２４の放熱を第２の遠心ファン３２側からだけでなくモータ１０側からも促進（補助）することができる。実際、モータ１０の巻線は通電時に発熱し、回転シャフト１３を回転可能に支持するベアリング２３，２４も回転シャフト１３の回転時に摩擦により発熱し、いずれも発熱によって、寿命が短くなること及び信頼性が低下することが懸念されるが、上述のような放熱の促進により、モータ１０及びベアリング２３，２４の信頼性が向上し、長寿命化が図れる。
【００４３】
なお、第１のベアリング２３の第１の遠心ファン３１側からの放熱は、第１の遠心ファン３１側からの気流が第１のベアリング２３に接することによるものであり、第２のベアリング２４の第２の遠心ファン３２側からの放熱は、第２の遠心ファン３２側からの気流が第２のベアリング２４に接することによるものである。また、第１のベアリング２３の放熱は、第１のベアリング２３と回転シャフト１３との間を、軸方向の両端のいずれか一方から他方へ気流を通すことで促進させることができる。同様に、第２のベアリング２４の放熱は、第２のベアリング２４と回転シャフト１３との間を、軸方向の両端のいずれか一方から他方へ気流を通すことで促進させることができる。
【００４４】
次に、図１に示される電動送風機１における主たる特徴について、図７を併せて参照しながら説明する。図７は、図１に示される電動送風機１における回転シャフト１３に与えられる軸方向の力の向きを示す図である。
【００４５】
実施の形態１では、回転シャフト１３の回転中、図７に示されるように、第１の遠心ファン３１により回転シャフト１３に対して第１の方向に与えられる第１の力Ｆ１と、第２の遠心ファン３２により回転シャフト１３に対して第２の方向に与えられる第２の力とは、互いに反対である。ここで、第１の方向及び第２の方向は、いずれも回転シャフト１３の軸方向であるが、互いに反対の方向である。換言すると、実施の形態１では、第１の遠心ファン３１が回転シャフト１３に対して軸方向に与える第１の力Ｆ１と、第２の遠心ファン３２が回転シャフト１３に対して軸方向に与える第２の力Ｆ２とは、互いに反対の向きである。なお、第１の力Ｆ１及び第２の力Ｆ２は、いずれも回転シャフト１３の軸方向に作用する力を指し、スラスト力又はスラスト荷重とも称される。
【００４６】
このような第１の力Ｆ１及び第２の力Ｆ２は、回転シャフト１３の軸の両端に固定された第１の遠心ファン３１及び第２の遠心ファン３２が回転時に気体を吸い込む（図３に示される実施の形態１では、ケーシング２０の外部から内部へと吸い込む）際の反作用として生じる。よって、上述のような第１の力Ｆ１と第２の力Ｆ２との関係は、第１の遠心ファン３１及び第２の遠心ファン３２が吸い込む気流の向きが、互いに軸方向に反対（互いに対称の向き）となることを意味する。電動送風機１は、第１の力Ｆ１と第２の力Ｆ２とが上述のような関係になるように構成することで、第１の遠心ファン３１及び第２の遠心ファン３２の回転軸となる回転シャフト１３に双方から互いに打消し合う（相殺し合う）方向のスラスト力を与えることができるため、電動送風機１における軸方向の力のバランスを良くすること（軸方向の力を低減すること）ができる。
【００４７】
また、回転シャフト１３にスラスト荷重が加わった場合、図４に示される、第１のベアリング２３の内輪２３ａ及び外輪２３ｂと転動体２３ｃとの間の摩擦、及び内輪２３ｄ及び外輪２３ｅと転動体２３ｆとの間の摩擦が増え、摩耗することがあり、第２のベアリング２４についても同様である。しかし、実施の形態１では、回転シャフト１３にかかるスラスト荷重を低減しているため、このような摩耗の量を低減することができ、第１のベアリング２３及び第２のベアリング２４の長寿命化を図ることができる。
【００４８】
また、第１の力Ｆ１と第２の力Ｆ２とを互いに反対の方向の力とすることは、図３において気流が破線矢印及び実線矢印で示されるように、遠心ファン３１，３２の双方でケーシング２０の外部から内部へ気体を吸い込むように電動送風機１を構成することで実現できるが、第１の遠心ファン及び第２の遠心ファンの双方でケーシングの内部から外部へ気体を吸い込んで吐出する電動送風機であっても実現できる。実施の形態１では、前者の場合について説明しており、後者の場合については、実施の形態８として後述する。
【００４９】
前者の場合に相当する実施の形態１に係る電動送風機１では、第１の力Ｆ１は、回転シャフト１３の第２端側（第２の遠心ファン３２が取り付けられた側の端部）から第１端側（第１の遠心ファン３１が取り付けられた側の端部）に向かう力であり、第２の力Ｆ２は、回転シャフト１３の第１端側から第２端側に向かう力である。つまり、電動送風機１では、第１の方向が第２端側から第１端側に向かう方向であり、第２の方向が第１端側から第２端側に向かう方向である。
【００５０】
また、電動送風機１は、図３において気流が破線矢印及び実線矢印で示されるように、遠心ファン３１，３２によりファンカバー２１，２２の開口部２１ａ，２２ａから気体を吸引し、その気体を開口部２７，２８から吐出（排出）する。よって、電動送風機１は、例えば、開口部２７，２８に送風口を有する管などを接続することにより、送風用途の電気機器に搭載することができる。但し、電動送風機１は、例えば、開口部２１ａ，２２ａに吸引口を有する管などを接続することにより、吸引用途の電気機器に搭載することもできる。
【００５１】
ここで、気流の一部がモータ１０を通過する構造を採用した場合、モータ１０において塵が堆積しないように、ケーシング２０の外部（開口部２７，２８又はそれに接続された管など、又は、開口部２１ａ，２２ａ又はそれに接続された管など）にフィルタ等を備えることが望ましい。
【００５２】
また、第１の力Ｆ１と第２の力Ｆ２とは、互いに釣り合うこと（大きさが等しいこと）が好ましい。これにより、遠心ファン３１，３２の回転に伴う電動送風機１の軸方向の力をなくし、軸方向のバランスを正確にとることができる。ここで、第１の遠心ファン３１が起こす気流と第２の遠心ファン３２が起こす気流とが、第１の遠心ファン３１と第２の遠心ファン３２との中間位置における軸方向に垂直な面に対して面対称となるように、遠心ファン３１，３２及びファンカバー２１，２２の形状及び配置を行うことで、第１の力Ｆ１と第２の力Ｆ２とを釣り合わせてもよい。また、第１の力Ｆ１と第２の力Ｆ２が正確に釣り合わなくても、ほぼ釣り合っていれば同様の効果を奏する。
【００５３】
《１−２》変形例
実施の形態１に係る電動送風機の変形例について、図８から図１０を参照しながら説明する。図８から図１０は、実施の形態１に係る電動送風機の他の構成例の断面構造を示す図であり、いずれも異なる構成例を示す図である。図８から図１０において、図１と同じ又は対応する機能を持つ部位には、図１で用いられた符号と同じ符号が付されている。
【００５４】
図８に示される電動送風機１ａは、図１に示される電動送風機１において、ケーシング２０の代わりに開口部２７を有さない（開口部２７が設けられていない）ケーシング２０ａを有する。電動送風機１ａでは、第１の支持部材２５及び第２の支持部材２６にいずれも連通口が設けられているものとし、図８において破線矢印で示されるように、第１の遠心ファン３１から吸い込まれた気体は、モータ１０の内部を通過し、開口部２８から吐出される。また、図８において実線矢印で示されるように、第２の遠心ファン３２から吸い込まれた気体は、そのまま開口部２８から吐出される。
【００５５】
図９に示される電動送風機１ｂは、図８に示される電動送風機１ａにおいて、ケーシング２０ａの代わりに、ケーシング２０ａにおいて新たな第３の開口部２８ａが設けられたケーシング２０ｂを有する。電動送風機１ｂでは、第１の支持部材２５及び第２の支持部材２６にいずれも連通口が設けられているものとし、図９において破線矢印で示されるように、第１の遠心ファン３１から吸い込まれた気体は、モータ１０の内部を通過し、開口部２８，２８ａから吐出される。また、図９において実線矢印で示されるように、第２の遠心ファン３２から吸い込まれた気体は、そのまま開口部２８，２８ａから吐出される。なお、図９に示されるように、開口部２８と開口部２８ａとの軸方向の位置は同じであるが、開口部２８と開口部２８ａの軸方向の位置は、第２の遠心ファン３２と第２の支持部材２６との間であればよい。また、ケーシング２０ｂにおいて、このような間の軸方向の位置に設けられる第３の開口部は、２つに限らず、３つ以上であってもよいが、回転シャフト１３を中心とする円周上に均等に配置しておくことが好ましい。
【００５６】
図１０に示される電動送風機１ｃは、図１に示される電動送風機１において、ケーシング２０の代わりに、ケーシング２０において新たな第３の開口部２７ａ，２８ａが設けられたケーシング２０ｃを有する。電動送風機１ｃでは、第１の支持部材２５及び第２の支持部材２６に連通口が設けられていても、設けられていなくてもよい。電動送風機１ｃでは、第１の遠心ファン３１から吸い込まれた気体は、図１０において破線矢印で示されるようにそのまま開口部２７，２７ａから吐出され、連通口が設けられている場合には、一部の気体がモータ１０の内部を通過し、開口部２８，２８ａからも吐出される。同様に、電動送風機１ｃでは、第２の遠心ファン３２から吸い込まれた気体は、図１０において実線矢印で示されるようにそのまま開口部２８，２８ａから吐出され、連通口が設けられている場合には、一部の気体がモータ１０の内部を通過し、開口部２７，２７ａからも吐出される。
【００５７】
なお、開口部２８，２８ａの軸方向の位置及びこの位置に設けられる開口部の個数及び配置については、図９を参照して説明した通りである。開口部２７，２７ａについても開口部２８，２８ａと同様の説明が援用できる。つまり、図１０に示されるように、開口部２７と開口部２７ａとの軸方向の位置は同じであるが、開口部２７と開口部２７ａの軸方向の位置は、第１の遠心ファン３１と第１の支持部材２５との間であればよい。また、ケーシング２０ｃにおいて、このような間の軸方向の位置に設けられる開口部は、２つに限らず、３つ以上であってもよいが、回転シャフト１３を中心とする円周上に均等に配置しておくことが好ましい。
【００５８】
《１−３》効果
実施の形態１に係る電動送風機１，１ａ，１ｂ，１ｃによれば、回転時に第１の遠心ファン３１及び第２の遠心ファン３２が起こす気流により、第１の遠心ファン３１及び第２の遠心ファン３２の回転軸となる回転シャフト１３に双方から互いに打消し合う（相殺し合う）方向の力を与えることができ、電動送風機１，１ａ，１ｂ，１ｃにおける軸方向の力を低減することができる。そして、実施の形態１によれば、このような軸方向の力を低減させることができるため、電動送風機において、静圧を高くするために遠心ファンを積極的に採用すること、又は静圧の高い遠心ファンを採用することが可能になる。
【００５９】
また、電動送風機１，１ａ，１ｂ，１ｃでは、第１の力Ｆ１を、回転シャフト１３の第２端から第１端に向かう力とし、第２の力Ｆ２を、回転シャフト１３の第１端から第２端に向かう力とすることで、例えば開口部２７，２８に送風口を有する管などを接続することにより、送風用途の電気機器に搭載でき、例えば開口部２１ａ，２２ａに吸引口を有する管などを接続することにより、吸引用途の電気機器に搭載することもできる。
【００６０】
また、ケーシング２０，２０ａ，２０ｂ，２０ｃは、ケーシング２０の第１端側に設けられた第１の開口部２１ａと、ケーシング２０の第２端側に設けられた第２の開口部２２ａと、を有することができる。電動送風機１，１ａ，１ｂ，１ｃによれば、開口部２１ａ，２２ａを有することで、第１の遠心ファン３１により発生した気流を第１の開口部２１ａから通過させることができ、第２の遠心ファン３２により発生した気流を第２の開口部２２ａから通過させることができる。
【００６１】
また、ケーシング２０，２０ａ，２０ｂ，２０ｃは、第１の開口部２１ａが設けられ、第１の遠心ファン３１により発生した遠心方向の気流を軸方向に向ける第１のファンカバー２１と、第２の開口部２２ａが設けられ、第２の遠心ファン３２により発生した遠心方向の気流を軸方向に向ける第２のファンカバー２２と、を有することができる。電動送風機１，１ａ，１ｂ，１ｃによれば、このようなファンカバー２１，２２を有することで、第１の遠心ファン３１の回転によって第１の開口部２１ａから吸引された気体を遠心方向に流し、その気流の向き（風向）を変更することができ、第２の遠心ファン３２の回転によって第２の開口部２２ａから吸引された気体を遠心方向に流し、その気流の向き（風向）を変更することができる。
【００６２】
また、電動送風機１，１ａ，１ｂ，１ｃによれば、第１のベアリング２３、第２のベアリング２４、第１の支持部材２５、及び第２の支持部材２６を有することで、遠心ファン３１，３２の回転により回転シャフト１３に働くスラスト荷重に連動したベアリング２３，２４に働くスラスト荷重を低減することができ、ベアリング２３，２４の摩耗を防ぎ、長寿命化を図ることができる。
【００６３】
また、第１の支持部材２５及び第２の支持部材２６に連通口を形成し、モータ１０の内部に気体を流すことで、モータ１０の放熱を促進することができ、また、第１のベアリング２３も、遠心ファン３１側からだけでなく、モータ１０側から放熱を促進することができ、第２のベアリング２４も、遠心ファン３２側からだけでなく、モータ１０側から放熱を促進することができる。これにより、モータ１０及びベアリング２３，２４は、いずれも、その信頼性を向上させること、及びその寿命を長くすることが期待できる。
【００６４】
また、第１の力Ｆ１と第２の力Ｆ２とを釣り合わせることで、回転時に第１の遠心ファン３１及び第２の遠心ファン３２が起こす気流により、第１の遠心ファン３１及び第２の遠心ファン３２の回転軸となる回転シャフト１３に働くスラスト力を互いに打消し合う（相殺し合う）ことができ、遠心ファン３１，３２の回転に伴う電動送風機１，１ａ，１ｂ，１ｃにおける軸方向の力をなくすことができる。また、これにより、例えば、遠心ファン３１，３２の回転に伴うベアリング２３，２４に加わるスラスト荷重をなくすことができ、ベアリング２３，２４の長寿命化を図ることができる。
【００６５】
《２》実施の形態２
《２−１》構成
実施の形態２に係る電動送風機について、図１１から図１６を参照しながら説明する。図１１は、実施の形態２に係る電動送風機の一構成例の断面構造を示す図、図１２は、図１１に示される電動送風機２における気流を概略的に示す図である。図１１から図１６において、図１と同じ又は対応する機能を持つ部位には、図１で用いられた符号と同じ符号が付されている。以下、実施の形態２について、実施の形態１との相違点について説明するが、実施の形態２では、実施の形態１における相違点を除く様々な例が適用できる。
【００６６】
実施の形態１では、図１に示される支持部材２５，２６に連通口を形成し、遠心ファン３１，３２で発生した気流によりモータ１０及びベアリング２３，２４の放熱を促進できる例を挙げたが、実施の形態２においても、基本的に、これらの支持部材２５，２６にモータ１０の放熱の促進を目的として連通口が設けられていることを前提として説明するが、設けられなくてもよい。
【００６７】
図１１に示されるように、実施の形態２に係る電動送風機２は、図１に示される電動送風機１において、第１の仕切り部４１をさらに有する。第１の仕切り部４１は、ケーシング２０内に固定され、第１の遠心ファン３１により発生した気流の方向を、第１の遠心ファン３１と第１の支持部材２５との間において変更する。そのため、図１１に示されるように、第１の仕切り部４１は、軸方向における第１の遠心ファン３１と第１のベアリング２３との間に（換言すれば、第１の遠心ファン３１と第１の支持部材２５との間に）に配置される。第１の仕切り部４１の形状は問わないが、図１１に示されるように板状であることが簡易な構造である点で好ましいと言える。
【００６８】
第１の仕切り部４１により、ケーシング２０の内側において、第１の遠心ファン３１が固定された側の空間と第２の遠心ファン３２が固定された側の空間とを仕切ることができる。つまり、第１の仕切り部４１は、第１の遠心ファン３１により発生した気流と第２の遠心ファン３２により発生した気流とが、衝突しない（合流しない）ように分ける役割を果たす。なお、第１の仕切り部４１は、回転シャフト１３を通すための連通口を有する。
【００６９】
また、第１の仕切り部４１は、第３の開口部２７と軸方向の位置を少なくとも一部重複させることができる。つまり、第３の開口部２７は、軸方向について、第１の仕切り部４１が配置された第１の配置範囲と少なくとも一部が重なる第１の範囲に設けることができる。図１１においては、第３の開口部２７の軸方向の中間位置と第１の仕切り部４１の軸方向の中間位置とが合致するように、第３の開口部２７及び第１の仕切り部４１が配置された例を挙げている。また、電動送風機２では、図１２において破線矢印で示される気流から分かるように、第１のファンカバー２１の開口部２１ａと第３の開口部２７とを結ぶ気体の通路が形成されている。
【００７０】
また、図１１に示されるように、第１の仕切り部４１は、径方向（軸方向に垂直な方向）において第３の開口部２７の位置まで、又はその位置付近まで、延伸されていることが好ましい。これにより、気体の吐出口となる第３の開口部２７まで、気流の衝突を避けることができる。なお、第３の開口部２７から吐出される気流は、第１の遠心ファン３１により発生した気流と第２の遠心ファン３２により発生した気流とが合流するが、第３の開口部２７まで延伸された第１の仕切り部４１によりほぼ同じ方向に向いた状態で合流するため、合流による圧力損失は小さい。
【００７１】
第１の仕切り部４１が径方向において第３の開口部２７の位置まで延伸されていない形態においては、第２の遠心ファン３２により発生し支持部材２５，２６の連通口を通過する気流が存在した場合、その気流と第１の遠心ファン３１により発生した気流とが第３の開口部２７から吐出される前に合流する。しかし、軸方向の配置範囲が第１の仕切り部４１と第３の開口部２７とで重なるため、第１の仕切り部４１に沿って同じ方向に向いた状態で合流されることになり、合流による圧力損失は小さい。
【００７２】
また、図１１に示されるように、電動送風機２は、第１の仕切り部４１と同様の形状の第２の仕切り部４２を、第２の遠心ファン３２側に有することもできる。但し、第１の仕切り部４１と第２の仕切り部４２とは、形状が異なってもよい。第２の仕切り部４２は、ケーシング２０内に固定され、第２の遠心ファン３２により発生した気流の方向を、第２の遠心ファン３２と第２の支持部材２６との間において変更する。そのため、図１１に示されるように、第２の仕切り部４２は、軸方向における第２の遠心ファン３２と第２のベアリング２４との間に（つまり、第２の遠心ファン３２と第２の支持部材２６との間に）配置される。第２の仕切り部４２によっても、ケーシング２０の内側において、第１の遠心ファン３１が固定された側の空間と第２の遠心ファン３２が固定された側の空間とを仕切ることができる。
【００７３】
また、第２の仕切り部４２は、第３の開口部２８と軸方向の位置を少なくとも一部重複させることができる。つまり、第３の開口部２８は、軸方向について、第２の仕切り部４２が配置された第２の配置範囲と少なくとも一部が重なる第２の範囲に設けることができる。図１１においては、第３の開口部２８の軸方向の中間位置と第２の仕切り部４２の軸方向の中間位置とが合致するように、第３の開口部２８及び第２の仕切り部４２が配置された例を挙げている。また、電動送風機２では、図１２において実線矢印で示される気流から分かるように、第２のファンカバー２２の開口部２２ａと第３の開口部２８とを結ぶ気体の通路が形成されている。
【００７４】
また、図１１に示されるように、第２の仕切り部４２は、径方向において第３の開口部２８での位置まで、又はその位置付近まで延伸されていることが好ましい。これにより、気体の吐出口となる第３の開口部２８まで、気流の衝突を避けることができる。なお、第３の開口部２８から吐出される気流は、第３の開口部２７から吐出される気流と同様の理由から、合流による圧力損失は小さい。
【００７５】
第２の仕切り部４２が径方向において第３の開口部２８の位置まで延伸されていない形態においては、仮に、第１の遠心ファン３１により発生し支持部材２５，２６を通過する気流が存在した場合、その気流と第２の遠心ファン３２により発生した気流とが第３の開口部２８から吐出される前に合流する。しかし、軸方向の配置範囲が第２の仕切り部４２と第３の開口部２８とで重なるため、第２の仕切り部４２に沿って同じ方向に向いた状態で合流されることになり、合流による圧力損失は小さい。
【００７６】
実施の形態２に係る電動送風機２では、以上のような構成を有することにより、ケーシング２０の内部において、第１の遠心ファン３１により発生した気流を図１２において破線矢印で示すような気流とし、第２の遠心ファン３２により発生した気流を図１２において実線矢印で示すような気流とすることができ、双方の気流の衝突を抑制することができる。つまり、第１の仕切り部４１及び第２の仕切り部４２を備えた電動送風機２によれば、第１の仕切り部４１及び第２の仕切り部４２がない場合に比べて、気流の衝突及び混合による圧力損失を低減し、空力効率を向上させることができる。
【００７７】
《２−２》変形例
実施の形態２に係る電動送風機の変形例について、図１３から図１６を参照しながら説明する。図１３、図１５、及び図１６は、実施の形態２に係る電動送風機の他の構成例の断面構造を示す図であり、いずれも異なる構成例を示す図である。図１４は、図１３に示される電動送風機における気流を概略的に示す図である。図１３から図１６において、図１１と同じ又は対応する機能を持つ部位には、図１１で用いられた符号と同じ符号が付されている。
【００７８】
図１３に示される電動送風機２ａは、図１１に示される電動送風機２において、第１の仕切り部４１の代わりに、第１の遠心ファン３１により発生した気流を通過させる第１の連通口４１ｂを有する第１の仕切り部４１ａを有する。第１の連通口４１ｂは、第１の仕切り部４１ａの第１の遠心ファン３１側の空間と第１の仕切り部４１ａの第１の支持部材２５側の空間とを連通させる連通口であり、例えば円形の連通口などで例示できる。第１の連通口４１ｂは、複数個所に形成することもできる。
【００７９】
また、電動送風機２ａは、図１１に示される電動送風機２において、第２の仕切り部４２の代わりに、第２の遠心ファン３２により発生した気流を通過させる第２の連通口４２ｂを有する第２の仕切り部４２ａを有する。第２の連通口４２ｂは、第２の仕切り部４２ａの第２の遠心ファン３２側の空間と第２の仕切り部４２ａの第２の支持部材２６側の空間とを連通させる連通口であり、例えば円形の連通口などで例示できる。第２の連通口４２ｂは、複数個所に形成することもできる。
【００８０】
第１の仕切り部４１ａにより、図１４において破線矢印で示されるように、第１の遠心ファン３１により発生した気流を、第１の支持部材２５の連通口を通り、モータ１０に接してモータ１０の放熱を促進し、その後、第２の支持部材２６の連通口を通り、第３の開口部２８から吐出されるといった気流を含むようにすることができる。このとき、第１の連通口４１ｂを通る気流により、第１のベアリング２３の放熱の促進は可能であり、第１の支持部材２５の連通口を通る気流により、モータ１０及びベアリング２３，２４の放熱の促進は可能である。
【００８１】
また、第２の仕切り部４２ａにより、図１４において実線矢印で示されるように、第２の遠心ファン３２により発生した気流を、第２の支持部材２６の連通口を通り、モータ１０に接してモータ１０の放熱を促進し、その後、第１の支持部材２５の連通口を通り、第３の開口部２７から吐出されるといった気流を含むようにすることができる。このとき、第２の連通口４２ｂを通る気流により、第２のベアリング２４の放熱の促進は可能であり、第２の支持部材２６の連通口を通る気流により、モータ１０及びベアリング２３，２４の放熱の促進は可能である。
【００８２】
また、第１の仕切り部４１ａ及び第２の仕切り部４２ａは、いずれも、第１の遠心ファン３１により発生した気流と第２の遠心ファン３２により発生した気流とが、部分的に衝突しない（合流しない）ように分ける役割を果たす。よって、第１の仕切り部４１ａ及び第２の仕切り部４２ａを備えた電動送風機２ａによれば、第１の仕切り部４１ａ及び第２の仕切り部４２ａがない実施の形態１に係る電動送風機１に比べて、気流の衝突及び混合による圧力損失を低減し、空力効率を向上させることができる。また、以上に説明されるように、電動送風機２ａによれば、図１１に示される電動送風機２に比べて、モータ１０及びベアリング２３，２４の放熱の促進が可能になる。
【００８３】
図１５に示される電動送風機２ｂは、図１１に示される電動送風機２において、第１の仕切り部４１を備えない構成となっている。なお、この構成は、図１１に示される電動送風機２において、第２の仕切り部４２を備えない構成と実質的に同じである。このような構成の電動送風機２ｂでは、第１の遠心ファン３１により発生した気流を、図１５において破線矢印で示されるような気流とし、第２の遠心ファン３２により発生した気流を、図１５において実線矢印で示されるような気流とすることができ、双方の気流の衝突を防ぐことができ、且つモータ１０及びベアリング２３，２４の放熱の促進も可能となる。なお、第３の開口部２８で双方の気流が合流するが、上述されるように第２の仕切り部４２によりほぼ同じ方向に向いた状態で合流するため、合流による圧力損失は小さい。
【００８４】
図１６に示される電動送風機２ｃは、図１３に示される電動送風機２ａにおいて、第１の仕切り部４１ａを備えない構成となっている。なお、この構成は、図１３に示される電動送風機２ａにおいて、第２の仕切り部４２ａを備えない構成と実質的に同じである。このような構成の電動送風機２ｃでは、第１の遠心ファン３１により発生した気流を、図１６において破線矢印で示されるような気流とし、第２の遠心ファン３２により発生した気流を、図１６において実線矢印で示されるような気流とすることができ、双方の気流の衝突を一部で防ぐことができ、且つモータ１０及びベアリング２３，２４の放熱の促進も可能となる。なお、第３の開口部２８における双方の気流の合流については、説明した通りである。
【００８５】
図１５及び図１６に示される構成例のように、実施の形態２に係る電動送風機は、第１の仕切り部を備えずに第２の仕切り部を備える構成（又はその逆の構成）であってもよく、回転シャフト１３の両端の遠心ファン３１，３２の少なくとも一方の側に仕切りを備える構成であれば、気流の衝突を抑制するような同様の効果は得られる。但し、図１１又は図１３に示される電動送風機２又は２ａのように、第１の仕切り部４１又は４１ａ及び第２の仕切り部４２又は４２ａを備えることで、気流の衝突をより抑制することができ、また、電動送風機のケーシング２０の内部の構造も第１の遠心ファン３１側と第２の遠心ファン３２側とで対称に設計し易く、気流が制御し易くなる。
【００８６】
また、実施の形態２に係る電動送風機２，２ａ，２ｂ，２ｃについて、支持部材２５，２６の双方に連通口を形成することを前提に説明したが、支持部材２５，２６の双方に連通口を形成しない形態も採用できる。その形態においては、モータ１０の放熱の促進ができなくなるが、第１の仕切り部４１ａの第１の連通口４１ｂ及び第２の仕切り部４２ａの第２の連通口４２ｂを形成しておくことで、ベアリング２３，２４の放熱の促進は可能である。
【００８７】
《２−３》効果
実施の形態２に係る電動送風機２，２ａ，２ｂ，２ｃによれば、実施の形態１による軸方向の力を低減できる効果及びそれに伴うベアリング２３，２４の摩耗を少なくし長寿命化が図れる効果を奏する。さらに、電動送風機２，２ａ，２ｂ，２ｃによれば、第１の仕切り部４１等の仕切りを備えない場合に比べて、ケーシング２０の内部において、第１の遠心ファン３１により発生した気流と第２の遠心ファン３２により発生した気流との衝突を抑制することができ、気流の衝突及び混合による圧力損失を低減し、空力効率を向上させることができる。また、図１５及び図１６に示されるように、実施の形態２に係る電動送風機２ｂ，２ｃでは、このような効果のほかに、モータ１０及びベアリング２３，２４の放熱を促進させる効果も期待できる。
【００８８】
また、図１３及び図１４に示されるように、実施の形態２に係る電動送風機２ａによれば、第１の遠心ファン３１により発生した気流を通過させる第１の連通口４１ｂを有する第１の仕切り部４１ａを有することで、気流の衝突及び混合による圧力損失を低減し、空力効率を向上させると共に、モータ１０及びベアリング２３，２４の放熱を促進させることができる。
【００８９】
また、図１１及び図１３に示されるように、実施の形態２に係る電動送風機２，２ａは、第１の仕切り部４１に加え、ケーシング２０内に固定され、第２の遠心ファン３２により発生した気流の方向を、第２の遠心ファン３２と第２の支持部材２６との間において変更する第２の仕切り部４２を、第２の遠心ファン３２側に有することもできる。実施の形態２に係る電動送風機２，２ａによれば、第１の仕切り部４１及び第２の仕切り部４２を有することで、第１の遠心ファン３１により発生した気流と第２の遠心ファン３２により発生した気流との衝突をより抑制することができ、気流の衝突及び混合による圧力損失をより低減し、空力効率をより向上させることができる。また、実施の形態２に係る電動送風機２，２ａによれば、ケーシング２０の内部の構造も第１の遠心ファン３１側と第２の遠心ファン３２側とで対称に設計し易く、気流が制御し易くなる。
【００９０】
また、図１３に示されるように、実施の形態２に係る電動送風機２ａによれば、第２の遠心ファン３２により発生した気流を通過させる第２の連通口４２ｂを有する第２の仕切り部４２ａを有することで、気流の衝突及び混合による圧力損失を低減し、空力効率を向上させると共に、モータ１０及びベアリング２３，２４の放熱を促進させることができる。
【００９１】
なお、実施の形態２における第１の仕切り部による気流衝突抑制の効果と同様の効果は、第１の仕切り部を備えない電動送風機において、単に第１の支持部材２５に連通口を形成せず、第１の支持部材２５を第１の仕切り部の代わりとすることでも得られる。同様に、第２の仕切り部による気流衝突抑制の効果と同様の効果は、第２の仕切り部を備えない電動送風機において、単に第２の支持部材２６に連通口を形成せず、第２の支持部材２６を第２の仕切り部の代わりとすることでも得られる。
【００９２】
《３》実施の形態３
《３−１》構成
実施の形態３に係る電動送風機について、図１７から図２１を参照して説明する。図１７は、実施の形態３に係る電動送風機の一構成例の断面構造を示す図、図１８は、図１７に示される電動送風機３における気流を概略的に示す図、図１９は、電動送風機３における内部ケーシング内の気流の一例を概略的に示す図である。図１７、図１８、図２０、及び図２１において、図１と同じ又は対応する機能を持つ部位には、図１で用いられた符号と同じ符号が付されている。以下、実施の形態３について、実施の形態１，２との相違点について説明するが、実施の形態３では、実施の形態１，２における相違点を除く様々な例が適用できる。
【００９３】
実施の形態２では、第１の仕切り部等の仕切りを備えた電動送風機について、仕切りとして板状の仕切りを例に挙げて説明したが、実施の形態３に係る電動送風機は、板状の仕切りの代わりに、同様の仕切りの効果が得られるケーシング（ケーシング２０と区別して説明するために、内部ケーシングと称す）を有する。
【００９４】
図１７に示されるように、実施の形態３に係る電動送風機３は、図１１に示される電動送風機２において、第１の仕切り部４１及び第２の仕切り部４２の代わりに、第１の内部ケーシング４３及び第２の内部ケーシング４４を有する。
【００９５】
第１の内部ケーシング４３は、図１８において破線矢印で示されるように、ケーシング２０ｄ内に固定され、第１の遠心ファン３１により発生した気流の方向を、第１の遠心ファン３１と第１の支持部材２５との間において変更する。第１の内部ケーシング４３は、第１の仕切り部４１と同様に気流の方向を変更する機能を有し、第１の仕切り部４１の一例であると言える。なお、ケーシング２０ｄは、図１等に示される第３の開口部２７，２８の代わりに、第１の内部ケーシング４３及び第２の内部ケーシング４４に合った大きさの第３の開口部２７ｄ，２８ｄを有するケーシングである。
【００９６】
図１７及び図１８においては簡略化して図示しているが、第１の内部ケーシング４３は、第１のファンカバー２１と第３の開口部２７ｄとを結ぶ第１の流路を有する内部ケーシングである。図１７においては、第１の内部ケーシング４３が、その気体の吐出口が第３の開口部２７ｄと一致するように設けられた例を挙げている。
【００９７】
第１の内部ケーシング４３の形状は問わないが、例えば、図１９に示されるようなスパイラル状の気流を内部で生じさせるように制御可能な流路を有する形状とすることで、圧力損失をより低減させることができる。つまり、上述の第１の流路は、例えば、図１９で示されるような気流を導くようなスパイラル状の流路とすることができ、このような流路は、例えば、渦巻きケーシングと称されるケーシングの内部に形成されている。よって、第１の内部ケーシング４３は、例えば渦巻きケーシングとすることもでき、この渦巻きケーシングにより第１の遠心ファン３１により遠心方向に発生し、第１のファンカバー２１によりその方向が変更された気流を１つの方向を向く気流にまとめ、第３の開口部２７ｄから吐出させることができる。なお、第１の内部ケーシング４３は、回転シャフト１３を通すための連通口を有することができるが、例えば渦巻きケーシングを採用することで、回転シャフト１３の表面が第１の内部ケーシング４３の流路を形成する壁とならないように構成することもできる。
【００９８】
第２の内部ケーシング４４は、図１８において実線矢印で示されるように、ケーシング２０ｄ内に固定され、第２の遠心ファン３２により発生した気流の方向を、第２の遠心ファン３２と第２の支持部材２６との間において変更する。第２の内部ケーシング４４は、第２の仕切り部４２と同様に気流の方向を変更する機能を有し、第２の仕切り部４２の一例であると言える。
【００９９】
図１７及び図１８においては簡略化して図示しているが、第２の内部ケーシング４４は、第２のファンカバー２２と第３の開口部２８ｄとを結ぶ第２の流路を有する内部ケーシングである。図１７においては、第２の内部ケーシング４４が、その気体の吐出口が第３の開口部２８ｄと一致するように設けられた例を挙げている。第２の内部ケーシング４４の形状についても、第１の内部ケーシング４３の形状と同様である。よって、第２の内部ケーシング４４は、例えば、渦巻きケーシングとすることができる。
【０１００】
なお、第１の内部ケーシング４３又は第２の内部ケーシング４４のような内部ケーシングは、ファンのためのケーシングであるため、ファンケーシングと称されることがある。また、内部ケーシングと第１のファンカバー２１又は第２のファンカバー２２のようなファンカバーとを合わせたものを、ファンケーシングと称することもある。
【０１０１】
以上に説明したように、上述のように仕切り部として内部ケーシングを採用することで、図１８において破線矢印で示されるように第１の遠心ファン３１により発生した気流を第３の開口部２７ｄに導き、図１８において実線矢印で示されるように第２の遠心ファン３２により発生した気流を第３の開口部２８ｄに導くことができる。その結果、電動送風機３によれば、第１の遠心ファン３１により発生した気流と第２の遠心ファン３２により発生した気流とを効率良く分流すること（それらの気流の衝突をより抑制すること）ができ、空力効率をより向上させることができる。なお、図１７及び図１８に示される電動送風機３では、支持部材２５，２６に連通口が設けられているか否かは問わない。
【０１０２】
特に、第１の内部ケーシング４３の形状を、スパイラル状の気流を内部で生じさせるような流路を形成する形状とすることで、第１の遠心ファン３１により発生し、第１のファンカバー２１により変更された気流が、スラスト方向からラジアル方向に効率良く（気流が急な角度で方向転換することなく）制御され、これにより圧力損失が低減し、空力効率をさらに高めることができる。第２の内部ケーシング４４の形状についても、第１の内部ケーシング４３の形状と同様に、スパイラル状の気流を内部で生じさせるような流路を形成する形状とすることで、第２の遠心ファン３２及び第２のファンカバー２２により発生した気流がスラスト方向からラジアル方向に効率良く制御され、これにより圧力損失が低減し、空力効率をさらに高めることができる。
【０１０３】
《３−２》変形例
実施の形態３に係る電動送風機の変形例について、図２０及び図２１を参照しながら説明する。図２０及び図２１は、実施の形態３に係る電動送風機の他の構成例の断面構造を示す図であり、いずれも異なる構成例を示す図である。図２０及び図２１において、図１７と同じ又は対応する機能を持つ部位には、図１７で用いられた符号と同じ符号が付されている。
【０１０４】
図２０に示される電動送風機３ａは、図１７に示される電動送風機３において、第１の内部ケーシング４３を備えない構成となっている。なお、この構成は、図１７に示される電動送風機３において、第２の内部ケーシング４４を備えない構成と実質的に同じである。このような構成の電動送風機３ａでは、第１の遠心ファン３１により発生した気流を、図２０において破線矢印で示されるような気流とし、第２の遠心ファン３２により発生した気流を、図２０において実線矢印で示されるような気流とすることができる。つまり、電動送風機３ａでは、これらの気流の衝突を防ぐことができ、且つ第１のベアリング２３の放熱の促進も可能となる。なお、図２０に示される電動送風機３ａは、少なくとも第１の支持部材２５に連通口を形成しておくことで、破線矢印で示されるようなモータ１０側への気流を生じさせることができるため、モータ１０及び第２のベアリング２４の放熱の促進も可能となる。
【０１０５】
図２１に示される電動送風機３ｂは、図１７に示される電動送風機３において、第１の内部ケーシング４３の代わりに第１の仕切り部４１ｃを有する。第１の仕切り部４１ｃは、板状の仕切りであり、図１１に示される第１の仕切り部４１とその軸方向の位置が異なり、第１の遠心ファン３１側の空間と第１の支持部材２５側の空間とを遮断できる位置において、ケーシング２０ｄの内壁に固定されている。なお、この構成は、図１７に示される電動送風機３において、第２の内部ケーシング４４の代わりに第２の仕切り部を備えた構成と実質的に同じである。
【０１０６】
このような構成の電動送風機３ｂでは、第１の遠心ファン３１により発生した気流を、図２１において破線矢印で示されるような気流とし、第２の遠心ファン３２により発生した気流を、図２１において実線矢印で示されるような気流とすることができ、双方の気流の衝突をより防ぐことができる。なお、図２１に示される電動送風機３ｂでは、支持部材２５，２６に連通口が設けられているか否かは問わない。
【０１０７】
図２０及び図２１に示される構成例のように、実施の形態３に係る電動送風機は、第１の内部ケーシングを備えずに第２の内部ケーシングを備える構成（又はその逆の構成）であってもよく、回転シャフト１３の両端の遠心ファン３１，３２の少なくとも一方の側に内部ケーシングを備える構成であれば、気流の衝突を抑制するような同様の効果は得られる。但し、図１７又は図２１に示される電動送風機３又は３ｂのように、第１の遠心ファン３１側と第２の遠心ファン３２側の双方に内部ケーシング又は板状等の仕切りを備えることで、気流の衝突をより抑制することができる。
【０１０８】
《３−３》効果
実施の形態３に係る電動送風機３，３ａ，３ｂによれば、実施の形態１による軸方向の力を低減できる効果及びそれに伴うベアリング２３，２４の摩耗を少なくし長寿命化が図れる効果を奏する。さらに、電動送風機３，３ａ，３ｂによれば、第１の内部ケーシング等の内部ケーシングを備えない場合に比べて、ケーシング２０ｄの内部において、第１の遠心ファン３１により発生した気流と第２の遠心ファン３２により発生した気流との衝突を抑制することができ、気流の衝突及び混合による圧力損失を低減し、空力効率を向上させることができる。さらに、電動送風機３，３ａ，３ｂによれば、図１１に示されるような板状の仕切りを備えた場合に比べて、これらの気流の衝突をより抑制することができ、空力効率をより向上させることができる。特に、内部ケーシングの形状を、スパイラル状の気流を内部で生じさせるような流路を形成する形状とすることで、より圧力損失が低減し、空力効率をさらに高めることができる。
【０１０９】
また、図１７に示されるように、実施の形態３に係る電動送風機３によれば、第１の内部ケーシング４３及び第２の内部ケーシング４４を有することで、第１の遠心ファン３１により発生した気流と第２の遠心ファン３２により発生した気流との衝突をより抑制することができ、気流の衝突及び混合による圧力損失をより低減し、空力効率をより向上させることができる。また、実施の形態３に係る電動送風機３によれば、ケーシング２０ｄの内部の構造も第１の遠心ファン３１側と第２の遠心ファン３２側とで対称に設計し易く、気流が制御し易くなる。
【０１１０】
《４》実施の形態４
《４−１》構成
実施の形態４に係る電動送風機について、図２２から図２８を参照して説明する。図２２は、実施の形態４に係る電動送風機の一構成例の断面構造を示す図、図２３は、図２２に示される電動送風機４における気流を概略的に示す図である。図２２から図２８において、図１、図１１、図１３、及び図１７と同じ又は対応する機能を持つ部位には、図１、図１１、図１３、及び図１７で用いられた符号と同じ符号が付されている。以下、実施の形態４について、実施の形態１から３との相違点について説明するが、実施の形態４では、実施の形態１から３における相違点を除く様々な例が適用できる。
【０１１１】
実施の形態３では、第１の支持部材及び第２の支持部材が連通口を有する場合と有さない場合の双方について説明した。実施の形態４として、連通口を有する第１の支持部材及び連通口を有する第２の支持部材と、内部ケーシングと、を備えた電動送風機について説明する。
【０１１２】
図２２に示されるように、実施の形態４に係る電動送風機４は、図１３に示される電動送風機２ａにおいて、第１の仕切り部４１ａの代わりに第１の内部ケーシング４５を有する。第１の内部ケーシング４５は、図１７に示される第１の内部ケーシング４３と同様の機能を有する内部ケーシングである。
【０１１３】
但し、図２２に示されるように、電動送風機４が有するケーシング２０ｅは、図１３に示される電動送風機２ａが有するケーシング２０において、第３の開口部２７を第３の開口部２７ｅとしたものである。さらに、第１の内部ケーシング４５は、その気体の吐出口が第３の開口部２７ｅと一致するのではなく、第３の開口部２７ｅにおける第１の遠心ファン３１側の一部に対応するように配置されている。また、図２２に示される電動送風機４では、支持部材２５，２６に連通口（第４，第５の開口部）が設けられている。
【０１１４】
このような構成の電動送風機４では、第１の遠心ファン３１により発生した気流を、図２３において破線矢印で示されるような気流とし、第２の遠心ファン３２により発生した気流を、図２３において実線矢印で示されるような気流とすることができる。つまり、電動送風機４は、図２３において破線矢印で示されるように、一方の気流（第１の遠心ファン３１により発生した気流）をそのまま第３の開口部２７ｅからケーシング２０ｅの外部へ導くとともに、図２３において実線矢印で示されるように、他方の気流（第２の遠心ファン３２により発生した気流）を第３の開口部２８からケーシング２０ｅの外部へ導き、且つ第２の支持部材２６の連通口及び第１の支持部材２５の連通口を通過させ、第３の開口部２７ｅからケーシング２０ｅの外部へ導く。
【０１１５】
よって、電動送風機４では、第１の遠心ファン３１により発生した気流と第２の遠心ファン３２により発生した気流との衝突を防ぐことができる。また、図２３において実線矢印で示されるように、モータ１０が存在する支持部材２５，２６の間に気流が生じるため、モータ１０及びベアリング２３，２４の放熱を促進することもできる。また、第３の開口部２７ｅにおいては、第１の遠心ファン３１により発生した気流と第２の遠心ファン３２により発生した気流とが第１の内部ケーシング４５の内壁と外壁に沿って同じ方向に向いた状態で合流されるため、電動送風機４によれば、この合流による圧力損失を小さくすることができる。
【０１１６】
《４−２》変形例
実施の形態４に係る電動送風機の変形例について、図２４から図２８を参照しながら説明する。図２４、図２７、及び図２８は、実施の形態４に係る電動送風機の他の構成例の断面構造を示す図であり、いずれも異なる構成例を示す図である。図２５は、図２４に示される電動送風機４ａにおける気流を概略的に示す図、図２６は、電動送風機４ａにおける第１の遠心ファン３１及び第２の遠心ファン３２の回転子コアからの距離を示す図である。図２４から図２８において、図２２と同じ又は対応する機能を持つ部位には、図２２で用いられた符号と同じ符号が付されている。
【０１１７】
図２４に示される電動送風機４ａは、図２２に示される電動送風機４において、第２の仕切り部４２ａを取り除き、且つケーシング２０ｅの代わりに第３の開口部２８を埋めた（第３の開口部２８が設けられていない）ケーシング２０ｆを有する。
【０１１８】
このような構成の電動送風機４ａでは、第１の遠心ファン３１により発生した気流を、図２５において破線矢印で示されるような気流とし、第２の遠心ファン３２により発生した気流を、図２５において実線矢印で示されるような気流とすることができる。つまり、電動送風機４ａは、図２５において破線矢印で示されるように、一方の気流（第１の遠心ファン３１により発生した気流）をそのまま第３の開口部２７ｅからケーシング２０ｆの外部へ導くとともに、図２５において実線矢印で示されるように、他方の気流（第２の遠心ファン３２により発生した気流）を第２の支持部材２６の連通口及び第１の支持部材２５の連通口を通過させ、第３の開口部２７ｅにおける第２の遠心ファン３２側の一部からケーシング２０ｆの外部へ導く。
【０１１９】
これにより、図２４に示される電動送風機４ａは、図２２に示される電動送風機４に比べて、第２の遠心ファン３２により発生した気流が第２の支持部材２６の連通口及び第２のベアリング２４と回転シャフト１３との間、並びに第１の支持部材２５の連通口及び第１のベアリング２３と回転シャフト１３との間を通過し易くなるため、より確実に支持部材２５，２６の間の空間に気流を導くことが可能になる。よって、電動送風機４ａによれば、電動送風機４に比べて、モータ１０及びベアリング２３，２４の放熱を確実に促進させることができ、より放熱効率を高めることができる。
【０１２０】
また、図２６に示される電動送風機４ａは、距離Ｌ１と距離Ｌ２とが互いに異なるようになっている。特に、この例では、距離Ｌ１が距離Ｌ２より長くなるように、第１の遠心ファン３１及び第２の遠心ファン３２が回転シャフト１３に固定されている。ここで、距離Ｌ１は、第１の遠心ファン３１と第１の支持部材２５との間の距離（つまり、気体の吐出口となる第３の開口部２７ｅが設けられた側における遠心ファンと支持部材との距離）である。また、距離Ｌ２は、第２の遠心ファン３２と第２の支持部材２６との間の距離である。このような構成を採用することで、電動送風機４ａは、気体の吐出口となる第３の開口部２７ｅを確保した上で、ケーシング２０ｆのサイズ、つまり電動送風機４ａのサイズを小さくすることができ、また、電動送風機の設計の自由度を増すことができる。
【０１２１】
また、距離Ｌ１及び距離Ｌ２の代わりに、図２６に示される距離Ｌ１ａ及び距離Ｌ２ａを採用することもできる。ここで、距離Ｌ１ａは、第１の遠心ファン３１と回転子コア１２の第１の遠心ファン３１側の端部との間の距離（つまり、気体の吐出口となる第３の開口部２７ｅが設けられた側における遠心ファンと回転子コアのその遠心ファン側の端部との距離）である。また、距離Ｌ２ａは、第２の遠心ファン３２と回転子コア１２の第２の遠心ファン３２側の端部との間の距離である。また、図示しないが、距離Ｌ１及び距離Ｌ２の代わりに、第１の遠心ファン３１と第１のベアリング２３との間の距離及び第２の遠心ファン３２と第２のベアリング２４との間の距離を採用することもできる。いずれの距離を採用して電動送風機４ａを構成した場合でも、同様の効果を奏する。
【０１２２】
図２７に示される電動送風機４ｂは、図２２に示される電動送風機４において、第２の仕切り部４２ａの代わりに第２の内部ケーシング４６を有するとともに、ケーシング２０ｅの代わりに第２の内部ケーシング４６の吐出口に合わせた第３の開口部２８ｄを有するケーシング２０ｇを有する。第２の内部ケーシング４６は、図２７に示されるように、図１７に示される第２の内部ケーシング４４において、第２の連通口４６ａが設けられている。第２の連通口４６ａは、第２の遠心ファン３２により発生した気流を通過させる連通口である。具体的には、第２の連通口４６ａは、第２の内部ケーシング４６の内壁により形成された流路から第２の支持部材２６側（回転子コア１２側又は第２のベアリング２４側）へと通じるように、第２の内部ケーシング４６の壁に形成された連通口であり、例えば円形の連通口などで例示できる。第２の連通口４６ａは、複数個所に形成することもできる。
【０１２３】
このような構成の電動送風機４ｂでは、第１の遠心ファン３１により発生した気流を、図２７において破線矢印で示されるような気流とし、第２の遠心ファン３２により発生した気流を、図２７において実線矢印で示されるような気流とすることができる。つまり、電動送風機４ｂは、図２７において破線矢印で示されるように、一方の気流（第１の遠心ファン３１により発生した気流）をそのまま第３の開口部２７ｅからケーシング２０ｇの外部へ導く。さらに、電動送風機４ｂは、図２７において実線矢印で示されるように、他方の気流（第２の遠心ファン３２により発生した気流）を、そのまま第３の開口部２８ｄからケーシング２０ｇの外部へ導くとともに、第２の内部ケーシング４６の第２の連通口４６ａを通じて第２の支持部材２６の連通口及び第１の支持部材２５の連通口を通過させ、第３の開口部２７ｅからケーシング２０ｇの外部へ導く。
【０１２４】
これにより、図２７に示される電動送風機４ｂは、図２２に示される電動送風機４に比べて、第２の支持部材２６の第２の遠心ファン３２側の空間の密閉度が高いため、第２の遠心ファン３２により発生した気流が第２の支持部材２６の連通口及び第２のベアリング２４と回転シャフト１３との間、並びに第１の支持部材２５の連通口及び第１のベアリング２３と回転シャフト１３との間を通過し易くなり、より確実に支持部材２５，２６の間の空間に気流を導くことが可能になる。よって、電動送風機４ｂによれば、電動送風機４に比べて、モータ１０及びベアリング２３，２４の放熱を確実に促進させることができ、より放熱効率を高めることができる。
【０１２５】
図２８に示される電動送風機４ｃは、図２７に示される電動送風機４ｂにおいて、第１の内部ケーシング４５の代わりに第１の内部ケーシング４７を有する。第１の内部ケーシング４７は、図２８に示されるように、図２７に示される第１の内部ケーシング４５において、第１の連通口４７ａが設けられている。第１の連通口４７ａは、第１の遠心ファン３１により発生した気流を通過させる連通口である。具体的には、第１の連通口４７ａは、第１の内部ケーシング４７の内壁により形成された流路から第１の支持部材２５側（回転子コア１２側又は第１のベアリング２３側）へと通じるように、第１の内部ケーシング４７の壁に形成された連通口であり、例えば円形の連通口などで例示できる。第１の連通口４７ａは、複数個所に形成することもできる。
【０１２６】
このような構成の電動送風機４ｃでは、第１の遠心ファン３１により発生した気流を、図２８において破線矢印で示されるような気流とし、第２の遠心ファン３２により発生した気流を、図２８において実線矢印で示されるような気流とすることができる。つまり、電動送風機４ｃは、図２８において破線矢印で示されるように、一方の気流（第１の遠心ファン３１により発生した気流）を、そのまま第３の開口部２７ｅからケーシング２０ｇの外部へ導くとともに、第１の内部ケーシング４７の第１の連通口４７ａを通じて第１の支持部材２５側に通過させ、第３の開口部２７ｅからケーシング２０ｇの外部へ導く。なお、電動送風機４ｃは、第１の連通口４７ａの形状及び位置によっては、第１の連通口４７ａから吐出された気流を、第１の支持部材２５の連通口を介して第２の支持部材２６側へ一旦導き、再度、第１の支持部材２５の連通口を介して第１の内部ケーシング４７側へ導き、第３の開口部２７ｅからケーシング２０ｇの外部へ導くこともできる。さらに、電動送風機４ｃは、図２８において実線矢印で示されるように、他方の気流（第２の遠心ファン３２により発生した気流）を、そのまま第３の開口部２８ｄからケーシング２０ｇの外部へ導くとともに、第２の内部ケーシング４６の第２の連通口４６ａを通じて第２の支持部材２６の連通口及び第１の支持部材２５の連通口を通過させ、第３の開口部２７ｅからケーシング２０ｇの外部へ導く。
【０１２７】
これにより、図２８に示される電動送風機４ｃは、図２２に示される電動送風機４に比べて、第２の支持部材２６の第２の遠心ファン３２側の空間の密閉度が高いため、第２の遠心ファン３２により発生した気流が第２の支持部材２６の連通口及び第２のベアリング２４と回転シャフト１３との間、並びに第１の支持部材２５の連通口及び第１のベアリング２３と回転シャフト１３との間を通過し易くなり、より確実に支持部材２５，２６の間の空間に気流を導くことが可能になる。よって、電動送風機４ｃによれば、電動送風機４に比べて、モータ１０及びベアリング２３，２４の放熱を確実に促進させることができ、より放熱効率を高めることができる。
【０１２８】
また、図示しないが、図２７に示される電動送風機４ｂ又は図２８に示される電動送風機４ｃにおいて、第３の開口部２８ｄを第３の開口部２７ｅと同様に構成して、第２の内部ケーシング４６と第２の支持部材２６との間の空間を直接外部と連通させることもできる。いずれの構成においても、第１の遠心ファン３１により発生した気流と第２の遠心ファン３２により発生した気流とを、いずれも第３の開口部２８ｄと第３の開口部２７ｅの双方へ導くことが可能であるため、モータ１０及びベアリング２３，２４の放熱を促進させることができる。
【０１２９】
《４−３》効果
実施の形態４に係る電動送風機４，４ａ，４ｂ，４ｃによれば、実施の形態１による軸方向の力を低減できる効果及びそれに伴うベアリング２３，２４の摩耗を少なくし長寿命化が図れる効果を奏するとともに、支持部材２５，２６が連通口を有するため、モータ１０及びベアリング２３，２４の放熱を促進し、モータ１０及びベアリング２３，２４の信頼性の向上及び長寿命化が期待できる。また、電動送風機４，４ａ，４ｂによれば、内部ケーシングを有することで、第１の遠心ファン３１により発生した気流と第２の遠心ファン３２により発生した気流との衝突を防ぐことができ、モータ１０及びベアリング２３，２４の放熱促進効果と気流の衝突を防止する効果とを同時に得ることができる。
【０１３０】
また、図２６に示される電動送風機４ａによれば、距離Ｌ１と距離Ｌ２とが互いに異なるように、第１の遠心ファン３１及び第２の遠心ファン３２が回転シャフト１３に固定されているため、例えば、気体の吐出口となる第３の開口部２７ｅを確保した上で、ケーシング２０ｆのサイズ、つまり電動送風機４ａのサイズを小さくすることができ、また、電動送風機の設計の自由度を増すことができる。
【０１３１】
《５》実施の形態５
《５−１》構成
実施の形態５に係る電動送風機について、図２９を参照して説明する。図２９は、実施の形態５に係る電動送風機の一構成例の断面構造を示す図で、ここでは、便宜上、軸方向の中央部分を省略している。図２９において、図１と同じ又は対応する機能を持つ部位には、図１で用いられた符号と同じ符号が付されている。以下、実施の形態５について、実施の形態１から４との相違点について説明するが、実施の形態５では、実施の形態１から４における相違点を除く様々な例が適用できる。
【０１３２】
図２９に示されるように、実施の形態５に係る電動送風機５は、実施の形態１から４に係る電動送風機において、第１の遠心ファン３１と第１のファンカバー２１との間の間隔（クリアランス）Ｃ１と、第２の遠心ファン３２と第２のファンカバー２２との間の間隔（クリアランス）Ｃ２と、を互いに異なるようにしている。なお、間隔Ｃ１と間隔Ｃ２とを異ならせることは、例えば、ファンカバー２１，２２をケーシングに取り付ける軸方向の位置及び角度の少なくとも一方を調整することで実現でき、また、ファンカバー２１，２２の形状を異ならせることでも実現できる。
【０１３３】
例えば、図２２（図２３），図２４（図２５及び図２６），図２７，図２８に示される実施の形態４に係る電動送風機４，４ａ，４ｂ，４ｃは、いずれも、第１の力Ｆ１と第２の力Ｆ２とを釣り合わせるために、第１の遠心ファン３１より第２の遠心ファン３２の方で強い気流が必要な構造である。特に、図２６に示されるように、電動送風機４ａでは、第１の遠心ファン３１及び第２の遠心ファン３２が、距離Ｌ１が距離Ｌ２より大きい条件を満たすように回転シャフト１３に固定されている。
【０１３４】
一方で、同じ遠心ファン及び同じファンカバーであれば、遠心ファンとファンカバーとの間のクリアランスは、小さくするほど強い気流を生み出すことが可能である。従って、図２９に示されるように、実施の形態５に係る電動送風機５は、電動送風機４，４ａ，４ｂ，４ｃのいずれかの構造を適用した場合、間隔Ｃ１を間隔Ｃ２より大きくした構造を採用するとよい。
【０１３５】
また、図８，図９に示される電動送風機１ａ，１ｂは、いずれも、第１の力Ｆ１と第２の力Ｆ２とを釣り合わせるために、第２の遠心ファン３２より第１の遠心ファン３１の方で強い気流が必要な構造である。従って、実施の形態５に係る電動送風機は、電動送風機１ａ，１ｂのいずれかの構造を適用した場合、図示しないが、間隔Ｃ１を間隔Ｃ２より小さくした構造を採用するとよい。
【０１３６】
《５−２》効果
実施の形態５に係る電動送風機５では、第１の遠心ファン３１と第１のファンカバー２１との間の間隔Ｃ１と、第２の遠心ファン３２と第２のファンカバー２２との間の間隔Ｃ２と、が異なることを許容することで、第１の遠心ファン３１の仕事量と第２の遠心ファン３２の仕事量とを調整することを許容している。従って、電動送風機５では、ケーシング２０等のケーシングの内部の形状に応じて、回転シャフト１３の回転時に発生するスラスト荷重を、例えば第１の力Ｆ１と第２の力Ｆ２とが釣り合うように調整することが容易になる。ここで、ケーシングの内部形状とは、ケーシングの内壁及び気流の障害物となるモータ１０、ベアリング２３，２４、及び支持部材２５，２６の形状を指し、仕切り又は内部ケーシングを有する場合にはそれらの形状も含む。すなわち、電動送風機５によれば、遠心ファン３１，３２の仕事量を調整することにより、風路上の障害物等による気流アンバランス（回転シャフト１３に遠心ファン３１，３２の双方から与えられるスラスト荷重のアンバランス）を低減化するように調整することが可能となり、また、電動送風機の設計の自由度を増すことができる。
【０１３７】
例えば、実施の形態５によれば、電動送風機を設計するに際し、遠心ファン３１，３２で発生する気流の風路が遠心ファン３１，３２の中間位置における軸方向に垂直な面に対して非対称となるような設計（特に、第１の力と第２の力とがアンバランスになるような設計）を余儀なくされた場合であっても、間隔Ｃ１と間隔Ｃ２とを調整することで、例えば、第１の遠心ファン３１により発生した気流によるスラスト力と第２の遠心ファン３２により発生した気流によるスラスト力とを釣り合わせるように調整することができる。
【０１３８】
《６》実施の形態６
《６−１》構成
実施の形態６に係る電動送風機について、図３０から図３２を参照して説明する。図３０から図３２は、実施の形態６に係る電動送風機の一構成例の断面構造を示す図で、いずれも異なる構成例を示す図であり、ここでは、便宜上、軸方向の中央部分を省略している。図３０から図３２において、図１と同じ又は対応する機能を持つ部位には、図１で用いられた符号と同じ符号が付されている。以下、実施の形態６について、実施の形態１から５との相違点について説明するが、実施の形態６では、実施の形態１から５における相違点を除く様々な例が適用できる。
【０１３９】
図３０から図３２に示されるように、実施の形態６に係る電動送風機は、実施の形態１から５に係る電動送風機において、第１の遠心ファンの形状と第２の遠心ファンの形状とを異なるようにしている。第１の遠心ファンと第２の遠心ファンとで形状を異ならせることで、第１の遠心ファンにより発生する気流によるスラスト力と第２の遠心ファンにより発生する気流によるスラスト力とを異ならせることができる。
【０１４０】
図３０に示される電動送風機６は、遠心ファンの形状を示すパラメータ（形状パラメータ）の一つ（形状パラメータのうちのサイズを示すパラメータの一つ）として外径を異なるようにしている。つまり、図３０に示されるように、電動送風機６は、第１の遠心ファン３１の外径Ｄ１と第２の遠心ファン３２の外径Ｄ２とを異なるようにしている。外径Ｄ１は、第１の遠心ファン３１の外径のうち最も大きい値、厚み方向に平均した値など、任意に定義しておけばよい。なお、外径Ｄ２は、第２の遠心ファン３２についての値であるほかは、外径Ｄ１と同じ定義の値とする。
【０１４１】
例えば、図２２（図２３），図２４（図２５及び図２６），図２７，図２８に示される実施の形態４に係る電動送風機４，４ａ，４ｂ，４ｃは、いずれも、第１の力Ｆ１と第２の力Ｆ２とを釣り合わせるために、第１の遠心ファン３１より第２の遠心ファン３２の方で強い気流が必要な構造である。一方で、遠心ファンは、他の形状パラメータが同じであれば、その外径が大きいほど強い気流を生み出すことが可能である。従って、図３０に示されるように、実施の形態６に係る電動送風機は、電動送風機４，４ａ，４ｂ，４ｃのいずれかの構造を適用した場合、第１の遠心ファン３１の外径Ｄ１を第２の遠心ファン３２の外径Ｄ２より小さくした構造を採用するとよい。
【０１４２】
また、図８，図９に示される電動送風機１ａ，１ｂは、いずれも、第１の力Ｆ１と第２の力Ｆ２とを釣り合わせるために、第２の遠心ファン３２より第１の遠心ファン３１の方で強い気流が必要な構造である。従って、実施の形態６に係る電動送風機は、電動送風機１ａ，１ｂのいずれかの構造を適用した場合、図示しないが、外径Ｄ１を外径Ｄ２より大きくした構造を採用するとよい。
【０１４３】
実施の形態６に係る電動送風機では、図３０に示される電動送風機６のように、第１の遠心ファン３１の外径Ｄ１が第２の遠心ファン３２の外径Ｄ２と異なることを許容することで、第１の遠心ファン３１の仕事量と第２の遠心ファン３２の仕事量とを調整することを許容している。従って、実施の形態６に係る電動送風機では、ケーシング２０等のケーシングの内部の形状に応じて、回転シャフト１３の回転時に発生するスラスト荷重を、例えば第１の力Ｆ１と第２の力Ｆ２とが釣り合うように調整することが容易になる。すなわち、実施の形態６に係る電動送風機によれば、遠心ファン３１，３２の仕事量を調整することにより、風路上の障害物等による気流アンバランス（回転シャフト１３に遠心ファン３１，３２の双方から与えられるスラスト荷重のアンバランス）を低減化するように調整することが可能になり、また、電動送風機の設計の自由度を増すことができる。また、実施の形態６に係る電動送風機によれば、このようなアンバランスの低減化のために、ファンカバー２１，２２等の他の部材の設計を変更する必要がなくなる。
【０１４４】
例えば、実施の形態６によれば、電動送風機を設計するに際し、風路が非対称となるような設計を余儀なくされた場合であっても、異なる外径の遠心ファンの中から第１の遠心ファン及び第２の遠心ファンとして取り付けるものを選択し、第１の遠心ファンにより発生した気流によるスラスト力と第２の遠心ファンにより発生した気流によるスラスト力とを釣り合わせるように調整することができる。
【０１４５】
《６−２》変形例
図３１に示される電動送風機６ａは、遠心ファンの形状パラメータの一つ（形状パラメータのうちのサイズを示すパラメータの一つ）として遠心ファンの厚さを異なるように、つまり、第１の遠心ファン３１の厚みＴ１と第２の遠心ファン３２の厚みＴ２とを異なるようにしている。ここで、遠心ファンの厚みとは、軸方向の高さを指す。
【０１４６】
遠心ファンは、他の形状パラメータが同じであれば、その厚みが大きいほど強い気流を生み出すことが可能であり、第１の遠心ファン３１の厚みＴ１と第２の遠心ファン３２の厚みＴ２との関係は、外径Ｄ１と外径Ｄ２との関係と同様である。よって、図３１に示されるように、電動送風機６ａは、例えば図２２から図２８に示される電動送風機４，４ａ，４ｂ，４ｃのいずれかの構造を適用した場合、第１の遠心ファン３１の厚みＴ１を第２の遠心ファン３２の厚みＴ２より小さくした構造を採用するとよい。また、厚みＴ１と厚みＴ２とを異ならせる電動送風機は、図８，図９に示される電動送風機１ａ，１ｂのいずれかの構造を適用した場合、図示しないが、第１の遠心ファン３１の厚みＴ１を第２の遠心ファン３２の厚みＴ２より大きくした構造を採用するとよい。
【０１４７】
このように、電動送風機において、第１の遠心ファンの厚みＴ１が第２の遠心ファンの厚みＴ２と異なることを許容することで、外径を異ならせた際と同様の効果を奏する。例えば、電動送風機を設計するに際し、風路が非対称となるような設計を余儀なくされた場合であっても、異なる厚みの遠心ファンの中から第１の遠心ファン及び第２の遠心ファンとして取り付けるものを選択し、第１の遠心ファンにより発生した気流によるスラスト力と第２の遠心ファンにより発生した気流によるスラスト力とを釣り合わせるように調整することができる。
【０１４８】
図３２に示される電動送風機６ｂは、遠心ファンの形状パラメータの一つとして羽根の枚数を異なるように、つまり、第１の遠心ファン３１の羽根の枚数と第２の遠心ファン３２ｂの羽根の枚数とを異なるようにしている。なお、第２の遠心ファン３２ｂは、上述した第２の遠心ファン３２の代わりに設けられる遠心ファンである。
【０１４９】
遠心ファンは、他の形状パラメータが同じであれば、一般的にその羽根の枚数が多いほど強い気流を生み出すことが可能であり、第１の遠心ファン３１の羽根の枚数Ｎ１と第２の遠心ファン３２ｂの羽根の枚数Ｎ２との関係は、外径Ｄ１と外径Ｄ２との関係と同様である。よって、図３２に示されるように、電動送風機６ｂは、例えば図２２から図２８に示される電動送風機４，４ａ，４ｂ，４ｃのいずれかの構造を適用した場合、第１の遠心ファン３１の羽根の枚数Ｎ１を第２の遠心ファン３２ｂの羽根の枚数Ｎ２より少なくした構造を採用するとよい。また、枚数Ｎ１と枚数Ｎ２とを異ならせる電動送風機は、図８，図９に示される電動送風機１ａ，１ｂのいずれかの構造を適用した場合、図示しないが、第１の遠心ファン３１の羽根の枚数Ｎ１を第２の遠心ファン３２ｂの羽根の枚数Ｎ２より多くした構造を採用するとよい。
【０１５０】
このように、電動送風機において、第１の遠心ファンの羽根の枚数Ｎ１が第２の遠心ファンの羽根の枚数Ｎ２と異なることを許容することで、外径を異ならせた際と同様の効果を奏する。例えば、電動送風機を設計するに際し、風路が非対称となるような設計を余儀なくされた場合であっても、羽根の枚数が異なる遠心ファンの中から第１の遠心ファン及び第２の遠心ファンとして取り付けるものを選択し、第１の遠心ファンにより発生した気流によるスラスト力と第２の遠心ファンにより発生した気流によるスラスト力とを釣り合わせるように調整することができる。
【０１５１】
その他、遠心ファンの形状パラメータの一つとして、羽根の軸方向の高さ又は羽根の一枚毎の表面積（又は遠心ファンの全ての羽根の表面積）など、羽根の枚数以外の形状を異ならせてもよいし、羽根が取り付け等により設けられる基部（土台）の形状を異ならせることもできる。また、第１の遠心ファンと第２の遠心ファンとでは、以上に説明した形状パラメータのうち複数を異ならせてもよい。つまり、実施の形態６においては、第１の遠心ファンと第２の遠心ファンとは、外径、軸方向の厚み、羽根の数、羽根の表面積、羽根の軸方向の高さ、羽根が設けられる基部の形状のうち、少なくとも１つが異なるようにする。
【０１５２】
《６−３》効果
実施の形態６に係る電動送風機６，６ａ，６ｂによれば、第１の遠心ファンの形状パラメータが第２の遠心ファンの形状パラメータと異なることを許容しているため、風路上の障害物等による気流アンバランスを低減化するように調整することが容易になり、また、電動送風機の設計の自由度を増すことができる。また、実施の形態６に係る電動送風機によれば、このようなアンバランスの低減化のために、ファンカバー２１，２２等の他の部材の設計を変更する必要がなくなる。例えば、実施の形態６に係る電動送風機によれば、電動送風機を設計するに際し、第１の遠心ファン及び第２の遠心ファンで発生する気流の風路が非対称になるような設計を余儀なくされた場合であっても、異なる形状パラメータの遠心ファンの中から第１の遠心ファン及び第２の遠心ファンとして取り付けるものを選択し、第１の遠心ファンにより発生した気流によるスラスト力と第２の遠心ファンにより発生した気流によるスラスト力とを釣り合わせるように調整することができる。
また、説明を省略するが、第１のファンカバー及び第２のファンカバーの形状を異ならせることでも、同様の効果が得られる。
【０１５３】
《７》実施の形態７
《７−１》構成
実施の形態７に係る電動送風機について、図３３を参照して説明する。図３３は、実施の形態７に係る電動送風機の一構成例の断面構造を示す図であり、便宜上、軸方向の端の部分（第１の遠心ファン及び第２の遠心ファンが取り付けられる部分）を省略している。図３３において、図１と同じ又は対応する機能を持つ部位には、図１で用いられた符号と同じ符号が付されている。以下、実施の形態７について、実施の形態１から６との相違点について説明するが、実施の形態７では、実施の形態１から６における相違点を除く様々な例が適用できる。
【０１５４】
図３３に示されるように、実施の形態７に係る電動送風機７は、回転子コア１２の軸方向の中心位置が、固定子１１の軸方向の中心位置からずれた構造を有する。つまり、実施の形態７では、固定子１１と回転子の軸方向の位置関係が異なっており、固定子１１の軸方向中心に対し、回転子の軸方向中心がずれた状態となっている。この例では、回転子コア１２の軸方向の中心位置が固定子１１の軸方向の中心位置より、距離Δｍだけ第１の遠心ファン３１側にある構造を有する。このような構造を採用することで、固定子１１と回転子の回転子コア１２との間には軸方向（スラスト方向）の磁気吸引力が発生する。この磁気吸引力は、回転子の回転数に依存せず働くため、結果として回転子には図３３において矢印で示される方向のスラスト力Ｆｍが働くことになり、実施の形態５及び６と同様の効果を奏する。
【０１５５】
《７−２》効果
実施の形態７に係る電動送風機７によれば、固定子１１に対する回転子の軸方向の位置関係を任意にずらすことを許容しているため、風路上の障害物等による気流アンバランスを低減化するように調整することが容易になり、また、電動送風機の設計の自由度を増すことができる。例えば、実施の形態７に係る電動送風機７によれば、電動送風機を設計するに際し、第１の遠心ファン３１及び第２の遠心ファン３２で発生する気流の風路が非対称になるような設計を余儀なくされた場合であっても、距離Δｍを調整することで、スラスト力Ｆｍと第１の遠心ファン３１により発生した気流によるスラスト力と第２の遠心ファン３２により発生した気流によるスラスト力とを釣り合わせるように調整することができる。
【０１５６】
《８》実施の形態８
《８−１》構成
実施の形態８に係る電動送風機について、図３４を参照しながら説明する。図３４は、実施の形態８に係る電動送風機の一構成例の断面構造を示す図である。図３４において、図１と同じ又は対応する機能を持つ部位には、図１で用いられた符号と同じ符号が付されている。以下、実施の形態８について、実施の形態１から７との相違点（特に実施の形態１との相違点）を中心に説明するが、実施の形態８では、実施の形態１から７における相違点を除く様々な例が適用できる。
【０１５７】
実施の形態１から７では、第１の力Ｆ１と第２の力Ｆ２とが互いに反対の向きである一例として、遠心ファン３１，３２の双方でケーシング２０の外部から内部へ気体を吸い込む場合について説明した。
【０１５８】
図３４に示されるように、実施の形態８に係る電動送風機８は、遠心ファン３１，３２の双方でケーシング２０ｈの内部から外部へ気体を吸い込んで吐出するように構成することもできる。ここで、ケーシング２０ｈは、図１に示されるケーシング２０において、ファンカバー２１，２２を軸方向に垂直な面に対して反転させたものである。また、図３４に示される遠心ファン３１，３２は、図１に示される遠心ファン３１，３２とは逆向きに回転シャフト１３に固定されている。そして、電動送風機８では、第１の遠心ファン３１がケーシング２０ｈの外部（第１の開口部２１ａより軸方向に外側）に固定されており、第２の遠心ファン３２もケーシング２０ｈの外部（第２の開口部２２ａより軸方向に外側）に固定されている。
【０１５９】
ファンカバー２１，２２について、実施の形態８に合わせて説明する。
図３４に示されるように、第１のファンカバー２１は、気体を吸引する口として第１の開口部２１ａと、第１の遠心ファン３１から遠心方向に発生した気流（吐出された気体）が衝突する傾斜面（第１傾斜面）と、気体を吐出する口としての開口部２１ｂと、を有する。図３４に示されるように、第１のファンカバー２１は、回転シャフト１３の回転軸を中心とし回転子コア１２からの距離が離れるに連れて直径（内径及び外径）を大きくした円筒の形状を有することができる。但し、第１のファンカバー２１の形状はこれに限ったものではない。このような構成及び第１の遠心ファン３１との位置関係により、第１のファンカバー２１は、第１の遠心ファン３１の回転によって第１の開口部２１ａから吸引された気体を遠心方向に流し、上記第１傾斜面にてその気流の向き（風向）を変更し、開口部２１ｂから吐出させる。なお、第１のファンカバー２１は、少なくとも第１の開口部２１ａ及び開口部２１ｂにおいては、第１の遠心ファン３１を覆っていない。また、第１のファンカバー２１は、開口部２１ｂにおいてケーシング２０ｈの内周壁に固定されている。
【０１６０】
また、図３４に示されるように、第２のファンカバー２２は、気体を吸引する口として第２の開口部２２ａと、第２の遠心ファン３２から遠心方向に発生した気流（吐出された気体）が衝突する傾斜面（第２傾斜面）と、気体を吐出する口としての開口部２２ｂと、を有する。図３４に示されるように、第２のファンカバー２２は、回転シャフト１３の回転軸を中心とし回転子コア１２からの距離が離れるに連れて直径（内径及び外径）を大きくした円筒の形状を有することができる。但し、第２のファンカバー２２の形状はこれに限ったものではない。このような構成及び第２の遠心ファン３２との位置関係により、第２のファンカバー２２は、第２の遠心ファン３２の回転によって第２の開口部２２ａから吸引された気体を遠心方向に流し、上記第２傾斜面にてその気流の向き（風向）を変更し、開口部２２ｂから吐出させる。なお、第２のファンカバー２２は、少なくとも第２の開口部２２ａ及び開口部２２ｂにおいては、第２の遠心ファン３２を覆っていない。また、第２のファンカバー２２は、開口部２２ｂにおいてケーシング２０ｈの内周壁に固定されている。
【０１６１】
実施の形態８に係る電動送風機８は、例えば上述のような構成を有することで、第１の力Ｆ１を、回転シャフト１３の第１端側（第１の遠心ファン３１が取り付けられた側の端部）から第２端側（第２の遠心ファン３２が取り付けられた側の端部）に向かう力とし、第２の力Ｆ２を、回転シャフト１３の第２端側から第１端側に向かう力とする。つまり、電動送風機８では、第１の方向が第１端側から第２端側に向かう方向であり、第２の方向が第２端側から第１端側に向かう方向である。また、実施の形態８においても、第１の力Ｆ１と第２の力Ｆ２とは、互いに釣り合うことが好ましい。
【０１６２】
電動送風機８は、図３４において破線矢印で示されるように、第１の遠心ファン３１の回転に伴い、第１のファンカバー２１の第１の開口部２１ａを介して第３の開口部２７から気体を吸引し、その気体をケーシング２０ｈの外部に吐出（排出）するように導く。また、電動送風機８は、図３４において実線矢印で示されるように、第２の遠心ファン３２の回転に伴い、第２のファンカバー２２の第２の開口部２２ａを介して第３の開口部２８から気体を吸引し、その気体をケーシング２０ｈの外部に吐出するように導く。
【０１６３】
《８−２》効果
実施の形態８に係る電動送風機８によれば、実施の形態１から７のいずれかによる効果と同様の効果を、別の構成で得ることができる。つまり、実施の形態８に係る電動送風機８では、第１の力Ｆ１を、回転シャフト１３の第１端から第２端に向かう向きとし、第２の力Ｆ２を、回転シャフト１３の第２端から第１端に向かう向きとすることで、例えば第３の開口部２７，２８に吸引口を有する管などを接続することにより、吸引用途の電気機器に搭載することができる。但し、電動送風機８は、例えば開口部２１ｂ，２２ｂに送風口を有する管などを接続することにより、送風用途の電気機器に搭載することもできる。
【０１６４】
《９》実施の形態９
《９−１》構成
実施の形態９に係る電気機器について、図３５及び図３６を参照しながら説明する。図３５は、実施の形態９に係る電気機器としての掃除機の一例を示す斜視図、図３６は、実施の形態９に係る電気機器としてのジェットタオルの一例を示す斜視図である。
【０１６５】
実施の形態１から８に係る電動送風機は、様々な電気機器に備えることができる。例えば、図３５に示される掃除機９ａは、本体９１と、本体９１に取り付けられる集塵部９２と、ダクト９３と、ダクト９３の先端に取り付けられた吸引ノズル９４と、を有する。また、本体９１には排気口も設けられている。そして、掃除機９ａは、本体９１に、図３４に示される電動送風機８を有することができる。例えば、掃除機９ａは、電動送風機８の第３の開口部２７，２８をダクト９３側に接続し、ファンカバー２１，２２の開口部２１ｂ，２２ｂを排気口側に接続し、ダクト９３と第３の開口部２７，２８との間又は開口部２１ｂ，２２ｂと排気口との間に集塵部９２を設けることができる。また、掃除機９ａは、電動送風機８の代わりに、例えば図１に示される電動送風機１を有することもできるなど、実施の形態１から８に係る電動送風機のいずれを搭載してもよい。
【０１６６】
図３６に示されるジェットタオル９ｂは、その本体９６に吸引口９７及び送風口９８が設けられており、本体９６の内部に、図１に示される電動送風機１を有することができる。例えば、ジェットタオル９ｂは、電動送風機１のファンカバー２１，２２の開口部２１ａ，２２ａを吸引口９７側に接続し、第３の開口部２７，２８を送風口９８側に接続し、第３の開口部２７，２８と送風口９８との間に図示しない熱源を設けることができる。また、ジェットタオル９ｂは、電動送風機１の代わりに、例えば図３４に示される電動送風機８を有することもできるなど、実施の形態１から８に係る電動送風機のいずれを搭載してもよい。
【０１６７】
《９−２》効果
実施の形態９によれば、実施の形態１から８のいずれかによる効果を奏する電動送風機を備えた電気機器を提供することができる。
【符号の説明】
【０１６８】
１，１ａ，１ｂ，１ｃ，２，２ａ，２ｂ，２ｃ，３，３ａ，３ｂ，４，４ａ，４ｂ，４ｃ，５，６，６ａ，６ｂ，７，８  電動送風機、  ９ａ  掃除機、  ９ｂ  ジェットタオル、  １０  モータ、  １１  固定子、  １２  回転子コア、  １３  回転シャフト、  ２０，２０ａ，２０ｂ，２０ｃ，２０ｄ，２０ｅ，２０ｆ，２０ｇ，２０ｈ  ケーシング、  ２１  第１のファンカバー、  ２１ａ  第１の開口部、  ２１ｂ，２２ｂ  開口部、  ２２  第２のファンカバー、  ２２ａ  第２の開口部、  ２３  第１のベアリング、  ２３ａ，２３ｄ  内輪、  ２３ｂ，２３ｅ  外輪、  ２３ｃ，２３ｆ  転動体、  ２４  第２のベアリング、  ２５  第１の支持部材、  ２５ａ  環状部、  ２５ｂ  中心部、  ２５ｂａ  取付部、  ２５ｃ  枝部、  ２５ｄ  第４の開口部、  ２６  第２の支持部材、  ２７，２７ａ，２７ｄ，２７ｅ，２８，２８ａ，２８ｄ  第３の開口部、  ３１  第１の遠心ファン、  ３２  第２の遠心ファン、  ３３ａ  基部、  ３３ｂ  羽根、  ４１，４１ａ，４１ｃ  第１の仕切り部、  ４１ｂ，４７ａ  第１の連通口、  ４２，４２ａ  第２の仕切り部、  ４２ｂ，４６ａ  第２の連通口、  ４３，４５，４７  第１の内部ケーシング、  ４４，４６  第２の内部ケーシング、  ９１  掃除機の本体、  ９２  集塵部、  ９３  ダクト、  ９４  吸引ノズル、  ９６  ジェットタオルの本体、  ９７  吸引口、  ９８  送風口。
【図１】
2020073802.tif 000003
【図２】
2020073802.tif 000004
【図３】
2020073802.tif 000005
【図４】
2020073802.tif 000006
【図５】
2020073802.tif 000007
【図６】
2020073802.tif 000008
【図７】
2020073802.tif 000009
【図８】
2020073802.tif 000010
【図９】
2020073802.tif 000011
【図１０】
2020073802.tif 000012
【図１１】
2020073802.tif 000013
【図１２】
2020073802.tif 000014
【図１３】
2020073802.tif 000015
【図１４】
2020073802.tif 000016
【図１５】
2020073802.tif 000017
【図１６】
2020073802.tif 000018
【図１７】
2020073802.tif 000019
【図１８】
2020073802.tif 000020
【図１９】
2020073802.tif 000021
【図２０】
2020073802.tif 000022
【図２１】
2020073802.tif 000023
【図２２】
2020073802.tif 000024
【図２３】
2020073802.tif 000025
【図２４】
2020073802.tif 000026
【図２５】
2020073802.tif 000027
【図２６】
2020073802.tif 000028
【図２７】
2020073802.tif 000029
【図２８】
2020073802.tif 000030
【図２９】
2020073802.tif 000031
【図３０】
2020073802.tif 000032
【図３１】
2020073802.tif 000033
【図３２】
2020073802.tif 000034
【図３３】
2020073802.tif 000035
【図３４】
2020073802.tif 000036
【図３５】
2020073802.tif 000037
【図３６】
2020073802.tif 000038